(57)【要約】      （修正有）【課題】ユーザコントロールの改善、サイズの小型化、およびより長い電池寿命を有する携帯メディアプレーヤを提供する。【解決手段】携帯メディアデバイス１００は、メディア資産を再生するとともに、データを記憶するソリッドステートドライブとしても機能し、一つまたは複数のステータス指示器を有し、さらに周辺機器バスコネクタ１０４、再充電可能な電池１１０、および一つまたは複数の入力デバイス１１２を筐体１０２の表裏面に備える。また、携帯メディアデバイス１００は、電源を落す前に、メディアプレーヤステータス情報を持続性メモリに格納し、電源が再投入されると、格納されたメディアプレーヤステータス情報を使用して状態を復帰することができる。【選択図】図１
2011054188.tif 000002
【特許請求の範囲】
【請求項１】
複数のディジタルメディア資産とデータファイルを格納する不揮発性メモリと、
メディアプレーヤのユーザが、提示すべき少なくとも一つのメディア資産を選択することを許可するメディアプレーヤ制御インタフェイスと、
前記メモリおよび前記メディアプレーヤ制御インタフェイスに活動的に接続し、メディアモードおよびデータモードの何れかで動作し、前記メディアモードにおいては前記選択された少なくとも一つのメディア資産を再生する動作を行い、前記データモードにおいては前記メモリに対してデータを格納し検索する動作を行う制御手段とを有する携帯メディアプレーヤ。
【請求項２】
さらに、少なくとも前記メモリに活動的に接続される周辺機器バスコネクタを有し、前記メモリは前記周辺機器バスコネクタを使用してアクセスされる請求項1に記載された携帯メディアプレーヤ。
【請求項３】
前記ユーザは、前記メディアプレーヤ制御インタフェイスを利用して前記メディア資産のグループを選択し、前記制御部によって前記グループから、前記選択された再生すべき少なくとも一つのメディア資源が選出される請求項1に記載された携帯メディアプレーヤ。
【請求項４】
前記メディアモードにおいて、前記制御部は、再生モードに基づき前記グループから再生すべき少なくとも一つのメディア資産を選択する請求項3に記載された携帯メディアプレーヤ。
【請求項５】
前記メディアモードにおいて、前記制御手段は、再生モードに基づき前記選択された少なくとも一つのメディア資産を選択する請求項1に記載された携帯メディアプレーヤ。
【請求項６】
前記再生モードは、連続再生モードおよびシャフル再生モードの何れかである請求項5に記載された携帯メディアプレーヤ。
【請求項７】
さらに、メディアプレーヤモードを選択するように構成されたマルチポジションスイッチを有する請求項1に記載された携帯メディアプレーヤ。
【請求項８】
前記メディアモードにおいて、前記制御手段は、前記選択再生モードに基づき前記少なくとも一つのメディア資産を選択する請求項7に記載された携帯メディアプレーヤ。
【請求項９】
前記再生モードは、連続再生モードおよびシャフル再生モードの何れかである請求項8に記載された携帯メディアプレーヤ。
【請求項１０】
前記携帯メディアプレーヤは、ディスプレイを有さず、手のひらサイズ以下である請求項1に記載された携帯メディアプレーヤ。
【請求項１１】
前記携帯電子デバイスは、さらに、メディアプレーヤ関連ステータスを示すメディアデバイスステータス指示器を有する請求項1に記載された携帯メディアプレーヤ。
【請求項１２】
前記メディアプレーヤステータス指示器は視覚的な指示器である請求項11に記載されたポータ電子デバイス。
【請求項１３】
ホストコンピュータデバイスの周辺機器ポートにプラグインする、細長いスティック形状の携帯電子デバイスであって、
筐体と、
前記筐体の一端から延伸し、前記ホストコンピュータデバイスの周辺機器ポートに挿入するように構成された周辺機器バスコネクタと、
前記筐体内に配置され、データを格納するように構成された不揮発性電子メモリデバイスと、
前記筐体内に配置され、前記携帯電子デバイスにおけるメディア操作を提供するように構成され、前記不揮発性電子メモリデバイスと協働して前記不揮発性電子メモリデバイスからメディアデータを検索し、前記携帯電子デバイスのユーザに前記メディアデータを提示するメディアモジュールとを有し、
前記携帯電子デバイスは、前記ホストコンピュータデバイスに接続された場合はリムーバブル記憶デバイスとして動作可能であり、前記ホストコンピュータデバイスと切断された場合はメディアデバイスとして動作可能である携帯電子デバイス。
【請求項１４】
さらに、前記筐体内に配置され、少なくとも前記ホストコンピュータデバイスと切断された場合に、必要ならば、前記ボータブル電子デバイスに電力を供給する再充電可能な電池を有する請求項13に記載された携帯電子デバイス。
【請求項１５】
前記周辺機器バスコネクタは前記ボータブル電子デバイスに電力を供給可能であり、前記再充電可能な電池は前記周辺機器バスコネクタを介して供給される電力によって充電可能である請求項14に記載された携帯電子デバイス。
【請求項１６】
前記周辺機器バスコネクタは前記ボータブル電子デバイスに電力を供給可能であり、前記再充電可能な電池は前記周辺機器バスコネクタを介して供給される電力によって充電可能である請求項13に記載された携帯電子デバイス。
【請求項１７】
前記入力デバイスの少なくとも一つとして、前記携帯電子デバイスのステータスまたはモードを切り替えるために、様々なポジションの間を摺動するスライドスイッチが組み込まれた請求項16に記載された携帯電子デバイス。
【請求項１８】
前記スライドスイッチは、三つのポジションの間を摺動する請求項17に記載された携帯電子デバイス。
【請求項１９】
前記入力デバイスの少なくとも一つとして、前記メディアモジュールの幾つかの様相を制御するように構成されたクリック可能なボタンアクチュエータが組み込まれた請求項17に記載された携帯電子デバイス。
【請求項２０】
前記入力デバイスの少なくとも一つとして、前記メディアモジュールの幾つかの様相を制御するように構成されたクリック可能なボタンアクチュエータが組み込まれた請求項19に記載された携帯電子デバイス。
【請求項２１】
前記クリック可能なボタンアクチュエータは、センタボタンの周囲に環状に配置された複数のボタンを含む請求項19に記載された携帯電子デバイス。
【請求項２２】
前記スライドスイッチは、前記携帯電子デバイスのステータスまたはモードを調整するために三つのポジションの間を移動する移動部材を含み、
前記移動部材は第一のポジション、第二のポジションおよび第三のポジションの間を摺動し、
前記第一のポジションは少なくとも前記メディアモジュールをオフにし、前記第二のポジションは前記メディアモジュールをシャフルモードにし、前記第三のポジションは前記メディアモジュールを連続再生モードにする請求項17に記載された携帯電子デバイス。
【請求項２３】
さらに、一つ以上の出力デバイスを有する請求項13に記載された携帯電子デバイス。
【請求項２４】
前記出力デバイスは、スピーカ、オーディオジャックまたは指示器から選択される請求項23に記載された携帯電子デバイス。
【請求項２５】
前記携帯電子デバイスはディスプレイを含まない請求項23に記載された携帯電子デバイス。
【請求項２６】
前記携帯電子デバイスは、前記携帯電子デバイスに関するユーザフィードバックまたはステータス情報を提供する一つ以上の表示器を含む請求項25に記載された携帯電子デバイス。
【請求項２７】
さらに、前記筐体内に配置され、前記ボータブル電子デバイスに電力を供給するように構成された再充電可能な電池と、
前記筐体の表面に位置する第一の入力デバイス、および、前記筐体の裏面に位置する第二の入力デバイスと、
前記筐体の表面に位置し、前記第一の入力デバイスを介して選択が行われた場合にユーザい警告する制御指示器、および、前記第二の入力デバイスの裏面に位置し、電池のステータスを提供するように構成されたステータス指示器とを有する請求項26に記載された携帯電子デバイス。
【請求項２８】
前記制御指示器は、前記筐体の一部を明るくする隠れた指示器である請求項27に記載された携帯電子デバイス。
【請求項２９】
さらに、前記ステータス指示器を作動させるボタンを含む請求項27に記載された携帯電子デバイス。
【請求項３０】
前記携帯電子デバイスは手のひらサイズ以下である請求項13に記載された携帯電子デバイス。
【請求項３１】
前記携帯電子デバイスは、少なくともリムーバルメモリドライブ、メディアプレーヤおよびハードウェアキーの何れかである請求項13に記載された携帯電子デバイス。
【請求項３２】
さらに、前記筐体に取り付けられると前記周辺機器バスコネクタを保護および/または隠す、前記筐体用の取り外し可能なキャップを有する請求項13に記載された携帯電子デバイス。
【請求項３３】
複数のディジタルメディア資産を格納する不揮発性メモリと、
メディア再生モードを選択するように構成された多接点スイッチと、
メディアプレーヤのユーザが、提示すべき少なくとも一つのメディア資産を選択することを許可するメディアプレーヤ制御インタフェイスと、
前記メモリ、前記多接点スイッチおよび前記メディアプレーヤ制御インタフェイスに活動的に接続し、前記メディア再生モードに従い、前記選択された少なくとも一つのメディア資産を提示し、次に提示すべきメディア資産も提示する動作を行う制御手段とを有するメディアプレーヤ。
【請求項３４】
前記メモリはフラッシュメモリである請求項33に記載されたメディアプレーヤ。
【請求項３５】
複数のディジタルメディア資産はメディア資産リストに関連付けられ、前記メディア資産リストから少なくとも一つのメディア資産が提示用に選出される請求項33に記載されたメディアプレーヤ。
【請求項３６】
前記メディア資産リストから前記次のメディア資産が選出され、前記メディア資産リストは再生リストである請求項35に記載されたメディアプレーヤ。
【請求項３７】
前記次のメディア資産は、前記メディア再生モードに基づき、異なるように決定される請求項33に記載されたメディアプレーヤ。
【請求項３８】
さらに、ユニバーサルシリアルバス(USB)コネクタを有し、前記USBコネクタは少なくとも前記不揮発性メモリに活動的に接続され、前記不揮発性メモリは前記USBコネクタを使用してアクセス可能である請求項33に記載されたメディアプレーヤ。
【請求項３９】
USB接続を使用した前記メモリのアクセスは、前記メディアプレーヤにデータ記憶ドライブとしての機能を許可する請求項38に記載されたメディアプレーヤ。
【請求項４０】
前記メディアプレーヤはディスプレイを有しない請求項39に記載されたメディアプレーヤ。
【請求項４１】
前記メディア再生モードは、連続再生モードおよびシャフル再生モードの一つである請求項33に記載されたメディアプレーヤ。
【請求項４２】
前記メディア再生モードは前記多接点スイッチを使用して選択される請求項41に記載されたメディアプレーヤ。
【請求項４３】
前記多接点スイッチは、オフ位置、連続再生位置およびシャッフル再生位置を有する請求項42に記載されたメディアプレーヤ。
【請求項４４】
前記多接点スイッチはオフ位置を有し、前記多接点スイッチがオフにスイッチされると、前記メディアプレーヤは、パワーオフする前に、メディアプレーヤステータス情報を前記メモリに格納する請求項42に記載されたメディアプレーヤ。
【請求項４５】
前記メディアプレーヤステータス情報は、メディア資産再生リストの有効性の指標、現在のメディア資産再生リストの指標、現在のメディア資産の指標、メディア資産における現在位置の指標、現在のメディアプレーヤの音量の指標、および、現在のメディアプレーヤの一時停止状態の指標からなるグループから選択される一つ以上のメディアプレーヤステータス指標を含む請求項44に記載されたメディアプレーヤ。
【請求項４６】
前記メディアプレーヤに前回格納された前記メディアプレーヤステータス情報をロードさせるため、オフ以外に、前記マルチメディアプレーヤの多接点スイッチを続いて操作して前記メディア再生モードを選択する請求項44に記載されたメディアプレーヤ。
【請求項４７】
前記シャフル再生モードはシャフル再生リストに関連し、前記シャフル再生モードの場合、前記次のメディア資産は前記シャフル再生リスト内のメディア資産から選出される請求項41に記載されたメディアプレーヤ。
【請求項４８】
前記連続再生モードは連続再生リストに関連し、前記連続再生モードの場合、前記次のメディア資産は前記連続再生リスト内のメディア資産から選出される請求項47に記載されたメディアプレーヤ。
【請求項４９】
前記メディア制御インタフェイスは、再生、一時停止、巻き戻し、早送り、前のメディア資産へスキップ、および、次のメディア資産へスキップからなるグループから選択された操作を含む請求項33に記載されたメディアプレーヤ。
【請求項５０】
前記多接点スイッチは前記メディアプレーヤの第一の面に位置し、前記メディアプレーヤ制御インタフェイスは前記メディアプレーヤの第二の面に位置する請求項33に記載されたメディアプレーヤ。
【請求項５１】
前記第一の面は裏面であり、前記第二の面は表面である請求項50に記載されたメディアプレーヤ。
【請求項５２】
データを格納するフラッシュメモリドライブおよびホストデバイスと連結するUSBコネクタを有する携帯電子デバイスであって、
前記携帯電子デバイスにおいてメディア操作を提供するように構成されたメディアモジュールと、
前記メディアモジュールに電力を与えるオンボード電池と、
前記メディアモジュールの動作モードを調整するスライドスイッチを含む入出力システムを有し、
前記携帯電子デバイスは、ディスプレイを欠き、手持ち形状ファクタを有する携帯電子デバイス。
【請求項５３】
前記入出力システムは、さらに、ユーザ入力を前記メディアモジュールに提供する制御入力デバイスを含む請求項52に記載された携帯電子デバイス。
【請求項５４】
前記メディアモジュールはオーディオファイルを再生するために動作する請求項52に記載された携帯電子デバイス。
【請求項５５】
前記携帯電子デバイスはUSBキーホルダドライブであり、前記電池は再充電可能な電池である請求項52に記載された携帯電子デバイス。
【請求項５６】
複数の動作モードを有する携帯電子デバイスであって、
データを格納するメモリデバイスと、
前記携帯電子デバイスをホストデバイスのポートに直結する周辺機器バスコネクタと、
前記携帯電子デバイスの複数の動作モードから前記携帯電子デバイスの動作モードを選択するスライドスイッチとを有する携帯電子デバイス。
【請求項５７】
携帯電子デバイスをホストデバイスのポートに直結するUSBコネクタと、
前記携帯電子デバイスにおけるメディア操作を提供するように構成されたメディアモジュールと、
入出力システムとを有し、
前記携帯電子デバイスはディスプレイスクリーンを欠く携帯電子デバイス。
【請求項５８】
メモリデバイスを有する携帯メディアプレーヤを操作する方法であって、
(a)前記メディアプレーヤの電源を落す前に前記メディアプレーヤのメディアプレーヤステータス情報を取得し、
(b)前記メディアプレーヤの状態を記述する前記メディアプレーヤステータス情報を前記携帯メディアプレーヤのメモリデバイスに格納し、
(c)その後、前記メディアプレーヤの電源が投入されると、前回前記メモリデバイスに格納された前記メディアプレーヤステータス情報を使用して、前記メディアプレーヤを前回の状態に復帰する方法。
【請求項５９】
前記復帰(c)は少なくとも、(c1)前記メモリデバイスから前記メディアプレーヤステータス情報を検索すること、(c2)前記検索されたメディアプレーヤステータス情報を使用して、前記メディアプレーヤを前回の状態に復旧することを含む請求項58に記載された方法。
【請求項６０】
さらに、(d)前記メディアプレーヤの前回の状態を復元した後、メディア資産またはメディア資産のグループの再生を再開する請求項58に記載された方法。
【請求項６１】
前記メディアプレーヤステータス情報は、メディア資産のグループ内のメディア資産を識別する請求項60に記載された方法。
【請求項６２】
前記取得(a)および前記格納(b)は電源断において実行され、前記復帰(c)は電源投入において実行される請求項58に記載された方法。
【請求項６３】
前記メディアプレーヤは、電源が投入されるとメディア資産を再生可能であり、電源投入時に電源が落とされると、前記メディアプレーヤステータス情報の少なくも一部は再生中のメディア資産に関係する請求項62に記載された方法。
【請求項６４】
携帯メディアプレーヤを動作させる方法であって、
(a)前記メディアプレーヤの電源を落すための第一のコマンドを受信し、
(b)前記メディアプレーヤをパワーオフする前記コマンドを受信した後、前記メディアプレーヤのメディアプレーヤステータス情報を取得し、
(c)前記メディアプレーヤステータス情報を前記携帯メディアプレーヤの持続性メモリに格納し、
(d)その後、前記メディアプレーヤの電源をオフする方法。
【請求項６５】
さらに、(e)その後、前記携帯メディアプレーヤをパワーオンする第二のコマンドを受信し、
(f)前記携帯メディアプレーヤの前記持続性メモリからメディアプレーヤステータス情報を検索し、
(g)前記検索したメディアプレーヤステータス情報に従い前記メディアプレーヤを動作させる請求項64に記載された方法。
【請求項６６】
前記第一のコマンドは、前記携帯メディアプレーヤのユーザによって与えられる請求項65に記載された方法。
【請求項６７】
前記第二のコマンドは、前記携帯メディアプレーヤのユーザによって与えられる請求項65に記載された方法。
【請求項６８】
前記第一のコマンドは、前記携帯メディアプレーヤのオペレーティングシステムに送信される請求項65に記載された方法。
【請求項６９】
前記ユーザは、前記第一のコマンドおよび/または前記第二のコマンドを与えるために、多接点スイッチを操作する請求項65に記載された方法。
【請求項７０】
前記多接点スイッチは、オフ位置、連続再生位置およびシャフル再生位置を有する請求項69に記載された方法。
【請求項７１】
前記メディアプレーヤステータス情報は、メディア資産再生リストの有効性の指標、メディア資産再生リストの指標、メディア資産の指標、メディア資産における位置、メディアプレーヤの音量、および、メディアプレーヤの一時停止状態の一つ以上を含む請求項64に記載されたメディアプレーヤ。
【請求項７２】
メモリデバイスを有する携帯メディアプレーヤを動作させるために少なくともコンピュータプログラムコードを含むコンピュータが読み取り可能な媒体であって、
前記メディアプレーヤの電源を落す前に前記メディアプレーヤのメディアプレーヤステータス情報を取得するコンピュータプログラムコードと、
前記メディアプレーヤの状態を記述する前記メディアプレーヤステータス情報を前記携帯メディアプレーヤの前記メモリデバイスに格納するコンピュータプログラムコードと、
その後、前記メディアプレーヤの電源が投入されると、前回前記メモリデバイスに格納された前記メディアプレーヤステータス情報を使用して、前記メディアプレーヤを前回の状態に復帰するコンピュータプログラムコードとを有する媒体。
【請求項７３】
携帯メディアプレーヤ上でメディア資産を提示する方法であって、
前記携帯メディアプレーヤ上で提示されるべきメディア資産のリストを識別し、
シャフル動作を始めるためのユーザ入力を受信し、
前記シャフル動作を開始する前記ユーザスイッチ入力に応じて前記メディア資産のリストをシャフルし、もしあれば、前記メディア資産のリストのメディア資産の提示が完了するまで、前記シャフルを延期する方法。
【請求項７４】
前記シャフル動作を開始する前記ユーザ入力は、ユーザスイッチ入力である請求項73に記載された方法。
【請求項７５】
前記ユーザスイッチ入力は、前記携帯メディアプレーヤ上に備わる多接点スイッチによって授けられる請求項74に記載された方法。
【請求項７６】
前記多接点スイッチの一つの位置は、シャフル動作を開始するシャフル動作モード要求である請求項75に記載された方法。
【請求項７７】
前記メディア資産のリストのメディア資産の提示が完了した時点で、前記ユーザスイッチ入力がまだ前記シャフル動作を合図している場合にだけ、前記シャフルが発生する請求項73に記載された方法。
【請求項７８】
前記メディア資産のリストは歌曲の再生リストである請求項73に記載された方法。
【請求項７９】
携帯メディアプレーヤ上にメディア資産を提示する方法であって、
前記携帯メディアプレーヤ上に提示すべきメディア資産のリストを識別し、
前記メディア資産のリストから一つのメディア資産を選択し、
前記携帯音楽プレーヤを介して前記選択されたメディア資産を提示し、
前記提示の間、シャフル動作を要求するユーザ入力を受信し、
前記選択されたメディア資産の前記提示が完了し、まだ提示されている状態で、前記シャフル動作を処理し、
前記処理に従い前記メディア資産のリストをシャフルして、シャフルされたリストを生成し、
前記シャフルされたリストから他のメディア資産を選択し、
前記携帯音楽プレーヤを介して前記選択された他のメディア資産を提示する方法。
【請求項８０】
前記選択された他のメディア資産は前記シャフルされたリストの一番目のメディア資産である請求項79に記載された方法。
【請求項８１】
さらに、その後、前記シャッフルされた再生リストの残りのメディア資産それぞれを連続再生する請求項79に記載された方法。
【請求項８２】
前記メディア資産のリストは連続再生リストであり、前記シャフルされたリストはシャフル再生リストである請求項79に記載された方法。
【請求項８３】
前記メディア資産のリストは第一のシャフル再生リストであり、前記シャフルされたリストは第二のシャフル再生リストである請求項79に記載された方法。
【請求項８４】
メディア資産のリストは現在のシャフル再生リストであり、前記シャフルリストは新しいシャフル再生リストである請求項79に記載された方法。
【請求項８５】
前記シャフル動作の処理は現在のシャフル再生リストを少なくとも無効にすることを含み、前記新しいシャフル再生リストを生成する前記メディア資産のリストのシャフルは前記新しいシャフル再生リストを少なくとも有効にする請求項84に記載された方法。
【請求項８６】
さらに、前記現在のシャフル再生リストが有効か否かを判定し、
前記判定が前記現在のシャフル再生リストが無効と判定した場合、前記新しいシャフル再生リストを生成する請求項84に記載された方法。
【発明の詳細な説明】
【技術分野】
【０００１】
本発明は、メディアデバイスに関し、より具体的には、ディジタルメディア資産を格納し利用する携帯メディアプレーヤに関する。
【背景技術】
【０００２】
今日、フラッシュドライブまたはキーチェーンドライブとも呼ばれるUSBドライブは、普及した携帯型データ記憶デバイスである。USBドライブは、フロッピディスク、CD、DVD、zipドライブディスクなどの他の記憶媒体の代わりに使用することができる。大抵の場合、USBドライブは、データを格納するためのフラッシュメモリおよびホストデバイスに接続するためのUSBコネクタを含むプラグアンドプレイデバイスである。これらデバイスは、うまく働くが、実行できるオペレーションは制限されている。これらのデバイスは、格納と格納されたデータの輸送（他の携帯型記憶媒体と類似する）を行うように構成されているだけで、処理コンポーネント、処理コンポーネントに電力を供給する電池、または、ユーザが処理コンポーネントと通信できるようにするユーザインタフェイスを備えない。
【０００３】
携帯メディアプレーヤは、MP3プレーヤとも呼ばれ、同様に今日では普及している。携帯メディアプレーヤは、CDまたはDVDプレーヤのようなリムーバブルメディア記憶を使用するもの、内蔵ハードドライブを備えるもの、および、不揮発性メモリにメディアを格納するものの、三つの異なるカテゴリに区分することができる。携帯メディアプレーヤの各カテゴリは、サイズ、機能、電池寿命およびメディア記憶能力について長所と短所をもつ。
【０００４】
不揮発性メモリ内にメディアを格納する携帯メディアプレーヤは、一般に、フラッシュMP3プレーヤまたはフラッシュメディアプレーヤと呼ばれる。フラッシュメディアプレーヤは、多くの場合、他の種類の携帯メディアプレーヤよりも小型である。多くの従来のフラッシュメディアプレーヤに共通の一つの問題は、サイズが小さいために、メディアプレーヤコントロールが使い難いことである。ユーザがデバイスに格納されたメディアファイルを操作することができるように、従来のフラッシュメディアプレーヤは、一般に、ディスプレイと一体化されている。しかし、ディスプレイはサイズ、重量および電力消費を追加する。ディスプレイと一緒でも、メディアプレーヤコントロールは、ユーザフレンドリではないことが多い。
【０００５】
従来のフラッシュメディアプレーヤに共通のもう一つの問題は、嵩張る電池である。電池は、プレーヤを充電するかプレーヤの電池を交換する前に、一般に、合理的な長さの電池寿命を提供することが要求される。従来、メディアプレーヤのデザインは、改善されたユーザコントロール、電池、および/または、ディスプレイを収納するために大型化された。
【０００６】
携帯メディアプレーヤの普及に連れて、メディアプレーヤデザインの向上に関する要求が増えてきた。そのため、ユーザコントロールの改善、サイズの小型化、および、より長い電池寿命を有するメディアプレーヤが必要とされている。
【発明の概要】
【発明が解決しようとする課題】
【０００７】
本発明は、概略、メディアデバイスとメディアデバイスの動作方法に関する。本発明は、とくに、携帯メディアプレーヤとの使用に適する。
【課題を解決するための手段】
【０００８】
本発明の一面によれば、メディアデバイスは、データを記憶するためのソリッドステートドライブとしても機能する。ソリッドステートドライブは、携帯メディアデバイスにより再生することができる、または、他の何らかの形で提示(present)することができるメディアアイテムのメディアコンテンツを格納するだけでなく、メディアコンテンツに無関係のデータも格納することができる。
【０００９】
一実施例において、携帯メディアデバイスの形状ファクタは、ハンドヘルド、または、それよりも小型である。携帯メディアデバイスは、例えば、片手で運べるか、身に着けるられるか、ポケットに入る位、小さく軽量にすることができる。形状ファクタは、一般的に小型でハンドヘルド（または、手のひらサイズ）であるが、デバイスの構成は大きく異なることがある。形状ファクタに対する構成例として、細長いスティック、メモリスティック、メモリドライブ（例えば、USBドライブ）などが挙げられる。一実装においては、携帯メディアプレーヤは、ディスプレイ（表示画面）を備えない。
【００１０】
他の実施例において、携帯メディアデバイスは、一つまたは複数のステータス指示器を使用する。指示器は、聴覚的なもの、または、視覚的なものにすることができる。例えば、ステータス指示器は、発光ダイオード(LED)などの専用光源により実装することができる。指示器は、ユーザへの視覚的なフィードバックになる。
【００１１】
他の実施例において、携帯メディアデバイスは、パーソナルコンピュータのようなホストデバイスに活動的(operatively)に結合された周辺機器バスポートに、リムーバブルかつ容易に接続可能な周辺機器バスコネクタを含む。従って、携帯メディアデバイスは、ケーブルまたは他のサポートデバイスを使用せずにホストデバイスと通信することができる、つまり、ホストデバイスに直接差し込まれる。これは、例えば、携帯メディアデバイスは、ホストデバイスとメディアファイルを共有するだろう（または、その逆を行える）。
【００１２】
他の実施例において、携帯メディアデバイスは電池を備える、より具体的には、再充電可能な電池を備える。多くの場合、電池は、携帯メディアデバイスのコンポーネントに電力を供給する。幾つかの場合、電池は周辺機器バスを介して充電することができる。
【００１３】
さらに他の実施例において、携帯メディアデバイスは、携帯メディアデバイスとユーザがやり取り(interact)できるように、一つまたは複数の入力デバイスを備える。例えば、入力デバイスは、携帯メディアデバイスのメディア操作またはモード/状態を制御するためのスイッチ（例えば、スライドスイッチ、ボタンなど）を備える。具体的な一実装においては、スライドスイッチがメディア再生モードの選択に使用される。
【００１４】
本発明の他の面によれば、携帯メディアデバイスは、電源を落す前に、メディアデバイスステータス情報を持続性(persistent)メモリに格納する機能を有する。その後、携帯メディアデバイスの電源が再投入されると、格納されているメディアプレーヤステータス情報を取り出して、使用することができる。
【００１５】
本発明のさらに他の面によれば、メディアデバイスにおいて、メディア資産プレイリストを効率的な方法で形成および/または横断(traverse)するための方法が提供される。例えば、メディア資産プレイリストは、メディア資産の連続プレイリストまたはメディア資産のシャフルプレイリストに関係することができる。
【００１６】
本発明は、方法として、システム、デバイス、装置、または、コンピュータが読み取り可能な媒体を含む、様々な形態で実装することができる。本発明の幾つかの実施例を以下に説明する。
【００１７】
本発明の一実施例は、携帯メディアプレーヤとして少なくとも次を含む。複数のディジタルメディア資産およびデータファイルを格納する不揮発性メモリ、メディアプレーヤのユーザが、提示されるべきメディア資産のうちの少なくとも一つを選択できるようにするメディアプレーヤ制御インタフェイス、および、メモリおよびメディアプレーヤ制御インタフェイスに活動的に接続されるコントローラ。コントローラは、メディアモードおよびデータモードのうちの一方で動作する。メディアモードにおいて、コントローラは、選択された少なくとも一つのメディア資産を再生するように動作する。データモードにおいて、コントローラは、メモリに対して、データを格納しデータを取り出すように動作する。
【００１８】
本発明の一実施例は、ホストコンピュータデバイス上の周辺機器ポートに差し込む細長いスティック形状の携帯電子デバイスとして少なくとも次を含む。筐体、筐体の端部から外に延び、ホストコンピュータデバイスの周辺機器ポートに挿入するように構成された周辺機器バスコネクタ、筐体内に配置され、データを格納するように構成された不揮発性電子メモリデバイス、および、筐体内に配置され、携帯電子デバイス上でメディア操作を行うに構成され、不揮発性電子メモリデバイスからメディアデータを取り出すために不揮発性電子メモリデバイスと連携し、携帯電子デバイスのユーザにメディアデータを提示するメディアモジュール。携帯電子デバイスは、ホストコンピュータデバイスに接続されるとリムーバブル記憶デバイスとして動作することが可能であり、また、ホストコンピュータデバイスから分離されるとメディアデバイスとして動作することが可能である。
【００１９】
本発明の一実施例は、メディアプレーヤとして次を備える。複数のディジタルメディア資産を格納する不揮発性メモリ、メディア再生モードを選択するように構成された多接点スイッチ(multi-position switch)、メディアプレーヤのユーザが、提示されるべきメディア資産のうちの少なくとも一つを選択できるようにするメディアプレーヤ制御インタフェイス、並びに、メモリ、多接点スイッチおよびメディアプレーヤ制御インタフェイスに活動的に接続されたコントローラ。コントローラは、選択された少なくとも一つのメディア資産を提示するとともに、メディア再生モードに従って提示されるべき次のメディア資産を提示するように動作する。
【００２０】
本発明の一実施例は、データを格納するためのフラッシュメモリドライブ、および、ホストデバイスと連携するためのUSBコネクタを備える携帯電子デバイスとして少なくとも次を含む。携帯電子デバイス上でメディア操作を行わせるように構成されたメディアモジュール、メディアモジュールに電力を供給するオンボード電池、および、メディアモジュールの動作モードを調整するためのスライドスイッチを備えるI/Oシステム。さらに、この携帯電子デバイスは、ディスプレイを備えず、ハンドヘルドの形状ファクタを有する。
【００２１】
本発明の一実施例は、複数の動作モードを有する携帯電子デバイスとして少なくとも次を含む。データを格納するためのメモリデバイス、ホストデバイスのポートに携帯電子デバイスを直接接続するための周辺機器バスコネクタ、および、携帯電子デバイスの複数の動作モードから携帯電子デバイスの動作モードを選択するためのスライドスイッチ。
【００２２】
本発明の一実施例は、携帯電子デバイスとして少なくとも次を含む。ホストデバイスのポートに携帯電子デバイスを直接接続するためのUSBコネクタ、携帯電子デバイス上でメディア操作を行わせるように構成されたメディアモジュール、および、I/Oシステム。さらに、携帯電子デバイスは表示画面を欠く。
【００２３】
本発明の一実施例は、メモリデバイスを有する携帯メディアプレーヤを動作させる方法として少なくとも次の動作(act)を含む。メディアプレーヤの電源を落す前にメディアプレーヤのメディアプレーヤステータス情報を取得する、携帯メディアプレーヤのメモリデバイス内に、メディアプレーヤの状態を記述(characterize)するメディアプレーヤステータス情報を格納する、その後、メディアプレーヤの電源が投入されると、メモリデバイス内に既に格納されたメディアプレーヤステータス情報を使用してメディアプレーヤを前回の状態に復帰する。
【００２４】
本発明の他の実施例は、携帯メディアプレーヤを動作させる方法として少なくとも次の動作を含む。メディアプレーヤの電源を切る第一のコマンドを受信する、メディアプレーヤの電源を切るコマンドを受信した後、メディアプレーヤのメディアプレーヤステータス情報を取得する、メディアプレーヤステータス情報を、携帯メディアプレーヤの持続性メモリに格納する、その後、メディアプレーヤの電源を切る。
【００２５】
本発明の一実施例は、メモリデバイスを有する携帯メディアプレーヤを動作させる少なくとも一つのコンピュータプログラムコードを格納したコンピュータが読み取り可能な媒体として少なくとも次を含む。メディアプレーヤの電源を落す前にメディアプレーヤのメディアプレーヤステータス情報を取得するコンピュータプログラムコード、携帯メディアプレーヤのメモリデバイスに、メディアプレーヤの状態を記述するメディアプレーヤステータス情報を格納するコンピュータプログラムコード、その後、メディアプレーヤの電源が投入されると、メモリデバイスに既に格納されたメディアプレーヤステータス情報を使用してメディアプレーヤを前回の状態に復帰するコンピュータプログラムコード。
【００２６】
本発明の一実施例は、携帯メディアプレーヤ上でメディア資産を提示する方法として、少なくとも次の動作を含む。携帯メディアプレーヤ上に提示すべきメディア資産のリストを識別する、シャフル動作を開始するためのユーザ入力を受信する、および、シャフル動作を開始するユーザスイッチ入力に応じてメディア資産のリストをシャフルし、もしあれば(if any)、メディア資産のリストのメディア資産の提示が完了するまで、シャフルを延期する。
【００２７】
本発明の他の実施例は、携帯メディアプレーヤ上でメディア資産を提示する方法として少なくとも次の動作を含む。携帯メディアプレーヤ上に提示すべきメディア資産のリストを識別する、メディア資産のリストから複数のメディア資産のうちの一つを選択する、携帯音楽プレーヤを介して選択されたメディア資産を提示する、提示の間、シャフル動作を要求するユーザ入力を受信する、選択されたメディア資産の提示が完了し、まだ提示されている状態で、シャフル動作を処理する、処理に従いメディア資産のリストをシャフルして、シャフルされたリストを生成する、シャフルされたリストから他のメディア資産を選択する、および、携帯音楽プレーヤを介して選択された他のメディア資産を提示する。
【００２８】
本発明の他の面および利点は、一例として本発明の原理を例示している、添付する図面とともに、以下の詳細な説明を読むと明らかになるだろう。
【００２９】
本発明は、添付する図面とともに以下の詳細な説明を読むと容易に理解され、類似の参照番号は、類似の構造要素を示す。
【図面の簡単な説明】
【００３０】
【図１】本発明の一実施例による携帯メディアデバイスの図。
【図２Ａ】本発明の一実施例による携帯メディアデバイスの斜視図。
【図２Ｂ】本発明の一実施例による携帯メディアデバイスの斜視図。
【図３】ラップトップコンピュータ上に配置されているポートに差し込まれたメディアデバイスを示す図。
【図４】ユーザの手の中にあるメディアデバイスを例示する図。
【図５】ユーザの手の中にあるメディアデバイスを例示する図。
【図６】一実施例による制御入力デバイスの図。
【図７】本発明の一実施例によるメディアデバイスのブロック図。
【図８】本発明の一実施例によるメディア管理システムのブロック図。
【図９Ａ】本発明の一実施例によるメディアデバイスの上面のブロック図。
【図９Ｂ】本発明の一実施例によるメディアデバイスの上面のブロック図。
【図９Ｃ】本発明の一実施例による図9Aおよび9Bに示されているメディアデバイスの第二の表面のブロック図。
【図１０Ａ】本発明の一実施例による携帯メディアデバイスのユーザコントロールを例示する図。
【図１０Ｂ】本発明の一実施例による携帯メディアデバイスのユーザコントロールを例示する図。
【図１１】本発明の一実施例によるメディアプレーヤの電源切断プロセスの流れ図。
【図１２】本発明の一実施例によるメディアプレーヤの電源投入プロセスの流れ図。
【図１３】本発明の一実施例によるメディア資産シャフルプレイリストの横断プロセスの流れ図。
【図１４Ａ】本発明の一実施例によるメディア資産リストの横断プロセスの流れ図。
【図１４Ｂ】本発明の一実施例によるメディア資産リストの横断プロセスの流れ図。
【図１５Ａ】本発明の一実施例による例示的なメディア資産プレイリストの配列の図。
【図１５Ｂ】本発明の一実施例による例示的なメディア資産プレイリストの配列の図。
【図１６Ａ】本発明の一実施例によるメディアプレーヤの一連の状態を示す例示的な時系列の図。
【図１６Ｂ】本発明の一実施例によるメディアプレーヤの一連の状態を示す例示的な時系列の図。
【発明を実施するための形態】
【００３１】
概ね、本発明は、メディアデバイスおよびメディアデバイスを動作させる方法に関する。本発明は、とくに携帯メディアプレーヤにおける使用に適す。
【００３２】
本発明の様々な態様の実施例は、図1〜16Bを参照して、以下に説明される。本発明がこれらの制限された実施例を逸脱している場合、これらの図に関して本明細書が示す詳細な説明は例示を目的とすることは、当業者であれば容易に理解するだろう。
【００３３】
本発明の一面によれば、メディアデバイスは、データを記憶するためのソリッドステートドライブとしても機能する。ソリッドステートドライブは、携帯メディアデバイスにより再生することができる、または、他の何らかの形で提示することができるメディアアイテムのメディアコンテンツを格納するだけでなく、メディアコンテンツに無関係のデータも格納することができる。
【００３４】
一実施例において、携帯メディアデバイスの形状ファクタは、ハンドヘルド、または、それよりも小型である。携帯メディアデバイスは、例えば、片手で運べるか、身につけられるか、または、ポケットに入る位、小さく軽量である。形状ファクタは、一般的に小型でハンドヘルド（または、手のひらサイズ）であるが、デバイスの構成は大きく異なることがある。形状ファクタに対する構成例として、細長いスティック、メモリスティック、メモリドライブ（例えば、USBドライブ）などが挙げられる。一実装において、携帯メディアプレーヤはディスプレイ（表示画面）を備えない。
【００３５】
他の実施例において、携帯メディアデバイスは、一つまたは複数のステータス指示器を使用する。指示器は、聴覚的なもの、または、視覚的なものにすることができる。例えば、ステータス指示器は、発光ダイオード(LED)などの専用光源により実装することができる。指示器はユーザへの視覚的なフィードバックになる。
【００３６】
他の実施例において、携帯メディアデバイスは、パーソナルコンピュータなどのホストデバイスに活動的に結合された周辺機器バスポートに携帯メディアデバイスをリムーバブルかつ容易に接続できるようにする周辺機器バスコネクタを含む。従って、携帯メディアデバイスは、ケーブルまたは他のサポートデバイスを使用せずにホストデバイスと通信することができる、つまり、ホストデバイスに直接差し込まれる。例えば、携帯メディアデバイスは、ホストデバイスとメディアファイルを共有する（またはその逆を行う）。
【００３７】
他の実施例において、携帯メディアデバイスは電池を備える、より具体的には、再充電可能な電池を備える。多くの場合、電池は、携帯メディアデバイスのコンポーネントに電力を供給するために使用される。幾つかの場合、電池は、周辺機器バスを介して充電することができる。
【００３８】
さらに他の実施例において、携帯メディアデバイスは、携帯メディアデバイスとユーザとがやり取りできるように一つまたは複数の入力デバイスを備える。例えば、入力デバイスは、携帯メディアデバイスのメディア操作またはモード/状態を制御するためのスイッチ（例えば、スライドスイッチ、ボタンなど）を備える。具体的な一実装において、スライドスイッチはメディア再生モードを選択するために使用される。
【００３９】
図1は本発明の一実施例による携帯メディアデバイス100の図である。メディアデバイス100は、メディアおよびデータに関する機能を実現するハードウェアを備える携帯型のデバイスである。携帯メディアデバイス100は、コンピュータなどのホストデバイスに結合することができ、これによりメディアデバイス100とホストデバイスの間でデータを転送することができる。一実施例において、メディアデバイス100は、プラグアンドプレイデバイスである。プラグアンドプレイ(PnP)という用語は、一般に、デバイスをホストデバイスに差し込み、ユーザ入力を殆ど、または、全く行わずにそのデバイスをホストデバイスに認識させることを、ユーザに与える機能を指す。
【００４０】
図1に示されるように、メディアデバイス100は、メディアデバイス100のコンポーネントを内部に入れた筐体102を備える。メディアデバイス100は、さらに、筐体102の外に出ているアクセス可能なコネクタ104も備える。コネクタ104は、メディアデバイス100とホストデバイスの間の通信（例えば、データ転送）を行わせるために、ホストデバイス上の対応するポートに差し込むことができる。コネクタ104は、千差万別である。一実施例において、コネクタ104は、USBまたはFIREWIRE（登録商標）コネクタなどの周辺機器バスコネクタである。これらの種類のコネクタは、電力とデータの両方の機能を備え、メディアデバイス100がホストデバイスに接続されると、メディアデバイス100とホストデバイスの間で電力供給とデータ通信の両方を実行することができる。場合により、ホストデバイスはメディアデバイス100に電力を供給する。
【００４１】
メディアデバイス100は、さらに、データを格納するためにメモリデバイス106を備える。メディアデバイス100がデバイスに接続されている際、メディアデバイス100とホストデバイスの間で、データをやり取りすることができる。データは、メディアファイル（例えば、オーディオトラック）、データファイルなどを含んでもよい。メモリデバイス106は、千差万別である。具体的な一実施例において、メモリデバイス106は、ソリッドステートメモリ（例えば、フラッシュメモリ）などの不揮発性メモリである。ソリッドステートメモリは、他の種類のメモリデバイスに勝る多くの利点を有する。ソリッドステートメモリの他の利点は、壊れたり跳ねたりする可動部品がないため、非常に堅牢なものになる傾向を有する点である。ソリッドステートメモリの他の利点は、メモリデバイスが小型で軽量なものになる傾向があり、メディアデバイス100の携帯性に適しているという点である。
【００４２】
一実施例において、メディアデバイス100は、メディアデバイス上のメディア操作を制御するメディアモジュール108を備える。例えば、メディアは、オーディオ、ビデオ、イメージなどである。例えば、メディアモジュール108は、メディアデバイス100上でメディアを提示する（例えば、再生する）ために使用する。従って、メディアデバイス100は、メディアプレーヤと考えられる。メディアモジュール108は、メモリデバイス106と連携して、メディアデータの格納および取り出しを行う。例えば、メディアモジュール108は、メモリデバイス106にアクセスして、オーディオトラック（例えば、歌曲）および/またはイメージ（例えば、写真）などのメディアデータを取得するか、または、引き渡す(deliver)ことができる。
【００４３】
一実施例において、メディアデバイス100は、電力をメディアデバイス100に供給するためのオンボード電池110を備える。例えば、ホストデバイスから切断されて完全に携帯可能なメディアデバイス100が動作することができるように、オンボード電池110は、メディアデバイス100に電力を供給する。オンボード電池110は、時々交換が必要な乾電池か、再充電可能な電池にすることができる。例えば、オンボード電池110は、アルカリ電池、ニッカド電池、リチウムイオン電池、または、他の種類の電池である。再充電可能な電池は、典型的には、滅多に交換する必要がないため乾電池よりも好ましい（使い易い）。場合によって、再充電可能な電池は、コネクタ104がホストデバイスのポートに活動的に結合された場合、コネクタ104の電力機能を介して充電することができる。
【００４４】
一実施例において、メディアデバイス100は、一つまたは複数の入力デバイス112を備える。入力デバイス112は、外界からメディアデバイス100内にデータを転送するように構成されている。例えば、入力デバイス112は、メディアデバイス100に関する選択やコマンドの発行に使用する。例えば、入力デバイス112は、ボタン、スイッチ、キーパッド、ホイール、ジョイスティック、ジョイパッド、タッチスクリーン、タッチパッド、トラックボールなどから選択することができる。
【００４５】
具体的な一実装において、入力デバイス112は、メディアデバイス100の状態またはモードを変えるために様々な位置の間でスライドするスライドスイッチとして具現化される。例えば、メディアデバイス100がオーディオトラック（例えば、音楽または歌曲）の再生を行う場合、スライドスイッチは、オフ位置、シャフル再生モード位置および連続再生モード位置を備える。スライドスイッチがオフ位置にある場合、メディアデバイス100のオーディオ機能はオフになる。連続再生モード位置にある場合、メディアデバイス100は、何らかの所定の順序で（例えば、作曲者または曲タイトルのアルファベット順に）オーディオトラックを再生する。シャフル再生モード位置にある場合、メディアデバイス100は、オーディオトラックのグループを無作為に選択して、選択した順序でオーディオトラックを再生する。
【００４６】
他の実装において、入力デバイス112は、メディアデバイス100のある種の面を制御するためにクリックすることができる一つまたは複数のクリッカブルボタンとして具現化される。例えば、オーディオ機能を備えるメディアデバイス100の場合、クリッカブルボタンは、前へ、次へ、音量増、音量減および再生/一時停止などのコマンドに対応する。
【００４７】
一実施例において、メディアデバイス100は、一つまたは複数の出力デバイス114を備える。出力デバイス114は、メディアデバイス100から外界にデータを転送するように構成されている。例えば、出力デバイス114は、聴覚的または視覚的情報をユーザに出力するために使用される。出力デバイス114は、スピーカ、オーディオジャック、指示器などから選択することができる。
【００４８】
従来のメディアデバイスは、ユーザインタラクション用に、液晶ディスプレイ(LCD)の使用が必須であるが、メディアデバイス100は、都合の良いことに、このようなディスプレイを備える必要がない。具体的な一実装において、メディアデバイス100は、ディスプレイを備えないが、(i)ヘッドセットまたは外部スピーカにオーディオ出力を供給するためのオーディオジャック、および、(ii)メディアデバイスのユーザフィードバックおよび/またはステータスを提供する一つまたは複数の指示器を備える。例えば、指示器は、特定の入力デバイス112が作動されたかをユーザに知らせる、または、電池寿命のステータスをユーザに知らせる。ディスプレイをなくすことにより、メディアデバイス100は、形状ファクタの小型化を実現し、携帯性を高めることができるだけでなく、メディアデバイスの電力消費を減らして、電池110の寿命を延ばすことができる。その結果、メディアデバイス100は、オンボード電池110を充電または交換せずに長時間に亘り使用することができる。
【００４９】
筐体102に関するI/Oデバイス112および114の位置は千差万別である。例えば、I/Oデバイス112および114は、メディアデバイス100の操作時にユーザがアクセス可能な筐体102の外面に配置することができる（例えば、上面、側面、前面または後面）。
【００５０】
一実装において、入力デバイス112は、一般的に、入力デバイス112を片手で操作できるような位置、より具体的には、メディアデバイス100を片手で持ちながら、一本の指で操作できる位置に配置される。具体的な一実装において、入力デバイス112は、筐体102の上部に配置される。それ故、ユーザが指と手のひらでメディアデバイス100を持つ場合に、ユーザの手の親指によって入力デバイス112を作動させることができる。出力デバイス114は、典型的には、ユーザの手でメディアデバイス100を持つときにアクセスできる位置に配置される。例えば、ユーザが入力デバイス112を操作しているときにアクセスできるように、出力デバイス114は、入力デバイス112の上部に配置される。I/Oデバイス112および114を、このように配置する(orient)ことにより、I/Oデバイス112および114を効果的に利用するために、メディアデバイス100を常に持ち変える(reposition)必要がなくなる。例えば、ボタンがデバイスの上から下へ一列に配置されている場合、望ましくない持ち変え(repositioning)が必要になることがある。
【００５１】
上述した様々な実施例、実装または特徴は、個々に、または、組み合わせて使用することができることに留意されたい。例えば、コネクタ104およびメモリデバイス106を含むメディアデバイス100は、上述した実施例のうちの一つと構成される（例えば、入力デバイス112のみ）。それとは別に、コネクタ104およびメモリデバイス106を含むメディアデバイス100は、上述した実施例のうちの二つまたはそれ以上と構成される（例えば、入力デバイス112および出力デバイス114）。それとは別に、コネクタ104およびメモリデバイス106を含むメディアデバイス100は、上述したすべての実施例を一体化したものとすることができる。例えば、メディアデバイス100は、アクセス可能なコネクタ104、メモリデバイス106、メディアモジュール108、電池110、および、様々なI/Oデバイス112と114の機能を単一のオールインワンユニットに一体化することができる、つまり、すべての要素が、メディアデバイス100の筐体102内に含まれるか、筐体102の上に配置される。その結果、ホストデバイスから離れてメディアデバイス100を操作する場合、サポートデバイス（取付可能な電池パックまたはI/Oデバイスなど）を必要としない、つまり、何かをしながら(on the go)、メディアデバイス100にデータを格納させて、メディアを制御、再生、出力することができる。この実装において、コネクタ104は、サポートデバイスに差し込まれないので、アクセス可能か、露出されていることに留意されたい。ユーザは、コネクタ104をホストデバイスまたは他のデバイス（例えば、ドック(dock)、ホルダ、電池パックまたは首紐(lanyard)）に容易に差し込むことができる。メディアデバイス100は、コネクタ104を着脱自在に覆うカバーも備えることができる。
【００５２】
それとは別または加えて、メディアデバイス100は、イメージを取り込み、表示するためのイメージ処理コンポーネントを備えることができる。このような場合、メディアデバイス100は、カメラのように動作する。
【００５３】
図2Aおよび2Bは、本発明の一実施例による携帯メディアデバイス200の斜視図である。メディアデバイス200は、図1に例示されているメディアデバイス100の一実装を表す。メディアデバイス200は、片手で簡単に持てる細長いスティックの形状である。携帯メディアデバイス200は、メディアプレーヤの機能とメモリデバイスの機能を併せもち、携帯メディアデバイス200は、何かしながら、メディア（例えば、音楽）を提示（例えば、再生）すること、および、様々なデータファイルを格納することの両方を行うことができる。メモリデバイスは、データファイルおよびメディアデータ（歌曲およびプレイリストなど）を格納するために使用することができ、メディアプレーヤは、メモリに格納されているメディアデータをプレイリストに従って再生するために使用することができる。
【００５４】
典型的には、メディアデバイス200は、ホストデバイスに接続されている場合は記憶デバイス（データはメディアデバイス200から転送され、および、メディアデバイス200へ転送される）のように動作し、ホストデバイスから切断されている場合はメディアプレーヤとして動作する（歌曲を再生する）。それとは別または加えて、メディアデバイス200は、ホストデバイスに接続された場合にメディアプレーヤのように動作する（つまり、ホストデバイス上で音楽再生を駆動するために使用する）。ホストデバイスから切断された場合に、これらのデバイスをサポートするために必要なコンポーネントは、メディアデバイス200内に格納されているか、メディアデバイス200上に配置されていることに留意されたい。メディアデバイス200のコンポーネントを動作させるために他のサポートデバイスは不要である（例えば、電池およびI/Oデバイスを含む）。
【００５５】
図2Aおよび2Bに示されているように、携帯メディアデバイス200は、デバイス200の形状(shape or form)を決める筐体202を備える。つまり、筐体202の輪郭が、メディアデバイス200の物理的外観を具現化する。さらに、筐体202は、メディアデバイス200内部の様々な電気的コンポーネント（集積回路チップおよび他の回路を含む）を囲み支持する。例えば、電気的コンポーネントは、プロセッサ、メモリ、電池、I/O制御回路などを含む。場合によって、電気的コンポーネントは、プリント回路板(PCB)などの基板またはキャリア上に配置される。基板またはキャリアは、組立時に電気的コンポーネントを搬送し、筐体202内に組み込まてた電気的コンポーネントを支持する構造を備える。筐体および内部コンポーネントを含むメディアデバイス200は、例えば、参照として本明細書に組み込まれる、2004年7月2日に出願された「HANDHELD COMPUTING DEVICE」という表題の米国特許出願第10/884,172号に開示された発明に類似する方法で組み立てることができる。
【００５６】
さらに、メディアデバイス200は、筐体202の底部から外に出る周辺機器バスコネクタ204を備える。周辺機器バスコネクタ204は、ポートに挿入してメディアデバイス200とホストデバイスの間でデータを転送できるように構成されている（図3を参照）。周辺機器バスコネクタ204は、メディアまたは他のデータをメディアデバイス200から、または、メディアデバイス200へアップロードまたはダウンロードするために使用される。例えば、周辺機器バスコネクタ204は、歌曲、プレイリスト、オーディオブック、電子ブック(ebook)などをメディアデバイス200のメモリデバイスにダウンロードするために使用する。さらに、周辺機器バスコネクタ204は、メディアデバイス200に電力を供給し充電するためのインタフェイスとして使用することができる。場合によって、カバーまたはキャップを用意して、コネクタ204を覆って保護し、筐体202の残り部分とともに滑らかな連続面（一様な外観）をもたせることができる。例えば、周辺機器バスコネクタ204はUSBコネクタに対応する。
【００５７】
図に示すように、筐体202の断面は、典型的には、コネクタ204の断面よりも僅かに広く、筐体202の長さは、典型的には、内部のコンポーネント用に充分な収納域を備え、ユーザが片手で簡単にメディアデバイス200を持てるように構成される（図4、5を参照）。断面を最小にすることにより、メディアデバイス200をホストデバイスに接続した場合、メディアデバイス200が他のコネクタと干渉しない傾向がある。理解されるように、多くのポートが、ホストデバイスの側面または背面に接近して積み重ねられているか、一列にレイアウトされている（図3を参照）。さらに、サイズが小さいということは、典型的には、メディアデバイス200をポケットに入れ、首に掛け、または、キーチェーンに取り付けて、運び易いことを意味する。例えば、限定はしないが、筐体202は、厚さ約9mm、幅約25mm、長さ約85mmである。
【００５８】
さらに、メディアデバイス200は、メディアデバイス200からオーディオ情報を出力するために使用されるオーディオジャック206を備える。例えば、オーディオジャック206は、スピーカまたはヘッドセット（例えば、イヤホン）に接続されたオーディオプラグを受け付ける。
【００５９】
メディアデバイス200は、筐体202の一方の側に配置されたクリック可能なボタン駆動部208、および、筐体202の対向する他方の側に配置されたスライド式のモードスイッチ214を備える。これらの入力デバイス208と214それぞれを使って、ユーザは、メディアデバイス200とやり取りする、つまり、ユーザ入力を行うことができる。クリック可能なボタン駆動部208は、メディアデバイスのメディアプレーヤの面に対する再生コントロールを備えるが、スライド式のモードスイッチ214は、メディアプレーヤの様々なモードを切り替える手段になる。より一般的には、クリック可能なボタン駆動部208は、制御入力デバイスである。
【００６０】
詳しく説明すると、クリック可能なボタン駆動部208は、筐体202の前側の上部域に配置されている。クリック可能なボタン駆動部208は、中心ボタン212を囲む複数の周辺ボタン210を備える。具体的な一実施例において、クリック可能なボタン駆動部208は、円形配列である。メディアプレーヤの場合、周辺ボタン210は、前へ、次へ、音量増および音量減に対応し、中心ボタン212は、再生/一時停止に対応する。さらに、中心ボタン212のプレスおよびホールドはシャフルに対応する。周辺ボタン210は、それぞれ専用のクリック動作が用意された別々のデバイスとして、または、複数のクリック動作が用意された単一のデバイスとして組み込むことができる。後者の場合、単一のデバイスを複数の独立した、空間的に区別可能なボタンゾーンに分割する。ボタンゾーンは、異なるクリック動作を実現するために、筐体202に対して傾斜させるか、押し下げることができる、単一のデバイスの領域を表す。
【００６１】
図には示さないが、一実施例において、クリック動作は、筐体202内に含まれる一つまたは複数の動作(movement)指示器を作動させるように構成される。つまり、第一の位置（例えば、直立した状態）から第二の位置（例えば、押し下げられた状態）まで移動する特定のボタンまたはボタンゾーン210、212は、動作指示器を作動させる。動作指示器は、動作（例えば、クリック動作）を検出し、メディアデバイス200のコントローラに動作に対応する信号を送信するように構成される。例えば、動作指示器は、スイッチ、センサなどにすることができる。多くの場合、ボタンまたはボタンゾーン210、212ごとに動作指示器が一つある。
【００６２】
図2Aに示されるように、スライド式のモードスイッチ214は、筐体202の後部の最上部域に配置される。スライド式のモードスイッチ214は、メディアデバイス200の状態またはモードを調整するために、三つの位置の間で平行移動する可動部材216を備える。例示されている実施例において、可動部材216は、メディアプレーヤをオフにするトップ位置218A、メディアプレーヤをシャフルモードに設定するミドル位置218B、およびメディアプレーヤを連続再生モードに設定するボトム位置218Cの間で移動する。図2Aに例示されるように、例えば、可動部材216は、筐体202と同じ高さとすることができる。多くの場合、可動部材216は、筐体202の後面の凹部219内にスライド可能に保持される。一実施例において、可動部材216の両側面には、凹部219の両側面のチャネル内にトラップされるタブを備えることができる。他の例において、可動部材216は、凹部219の両側面のタブを受け入れるチャネルを備えることができる。さらに他の例において、可動部材216の底面には、凹部219の底面に配置されたチャネル内をスライドするフランジを備えることができる。これらのすべての場合において、可動部材216は、一つまたは複数の動作指示器を作動させるように構成される。動作指示器は、スライド動作時に可動部材216の移動を検出し、メディアデバイス200のコントローラに移動に対応する信号を送信するように構成される。場合によって、可動部材216がどの位置あるかをユーザに知らせるために、各位置に戻り止め(detent)を備えることができる。これら戻り止め、または、他の手段は、クリック音などのフォースフィードバックおよび/または聴覚信号をユーザに提供することができる。
【００６３】
一実施例において、メディアデバイス200の入力デバイス208および214は、メディアデバイス200の筐体202の前面または後面にのみ備えられる。このような実施例において、メディアデバイス200の側面に入力デバイスはない。都合の良いことに、偶発的な入力を減らし、メディアデバイス200の側面を使用して、メディアデバイス200を握って保持することができる。
【００６４】
メディアデバイス200は、ディスプレイを備えないが、メディアデバイス200に関連するイベントの発生を示す一つまたは複数の指示器を備える。例えば、イベントは、メディアデバイス200の信号、状態またはステータスに関係してよい。一実施例において、発光ダイオード(LED)などの光源を備えることができ、指示器は、典型的には、通常は点灯せず、イベントが発生したときに限られた持続時間の間点灯する。さらに、指示器は、オンオフ（例えば、明滅）するか、強度の増大または減少を伴ってサイクル動作をする。場合によって、監視されているイベントに関する、さらに詳細な情報を提供するために、色を変化させることもある。一般に、指示器は、ステータス指示器またはメディアデバイスステータス指示器とも呼ぶ。
【００６５】
指示器は、典型的には、LEDの前面に配置され、筐体の開口部内に挿入されて、筐体の表面部に存在する小型の透明プラスチックの挿入物を含む従来の指示器でもよい。LED自体は、さらに、挿入物を使用せずに、筐体の開口部内に入れることもできる。それとは別に、指示器は、筐体の表面を切り取らないように構成することもできる。この構成によれば、光源は筐体の内側に完全に配置される。指示器は、筐体の一部を照らすように構成することができ、これにより、筐体の外観を変える、つまり、色を変えることができる。例えば、色の変化は、メディアデバイス200のステータスの変化を示す。動作中、指示器の明かりは、指示器がオンのときに筐体202の表面に現れ、指示器がオフのときに筐体202の表面から消える。この種類の指示器の利点の一つは、指示器がオフのときは指示器の形跡がないことである。つまり、指示器は、指示（例えば、指示器の明かり）がオンにされているときのみ認知することができる。さらに、この指示器の場合、審美的に不満足な(aesthetically unpleaseing)、メディアデバイス200の外見(look)の品位を下げるような、筐体202の表面の実質的なk傷(break)、ライン、あばた(pits or protrusions)を避けることができる。この種類の指示器の実施例は、参照として本明細書に組み込まれる、2004年2月6日に出願された「ACTIVE ENCLOSURE FOR COMPUTING DEVICE」という表題の米国特許出願第10/773,897号に、さらに詳しく開示されている。
【００６６】
例示されている実施例において、メディアデバイス200は、状態または制御指示器220およびステータス指示器222を備える。制御指示器220は、クリック可能なボタン駆動部208の上側の筐体202の前面に配置されている。制御指示器220は、入力デバイス208を介して選択が行われた場合、その旨をにユーザに警告または通知するように構成されている。つまり、制御指示器220は、選択が正常に行われたことをユーザに知せるようにユーザフィードバックする。制御指示器220は、入力デバイス208の上側に配置されるため、入力デバイス208を介した選択が行われている場合も、ユーザは常に制御指示器を見ることができる（図4を参照）。この特定の実施例において、制御指示器220は、筐体202の表面を通して突き出るのではなく、制御指示器220の周りの筐体202の小さな部分を照らす隠れた指示器である。
【００６７】
他方、ステータス指示器222は、モード入力デバイス214の下側の筐体202の後面に配置されている。ステータス指示器222は、メディアデバイス200の特定のステータス、とくに電池寿命をユーザに警告するように構成される。例えば、ステータス指示器222は、電池が完全充電状態のときは緑色に点灯し、電池の充電レベルが低くなると黄色に点灯し、電池の充電レベルが深刻なほど低下した場合に赤色に点灯する。さらに、ステータス指示器222は、電池の充電レベルが非常に低い場合は点滅（明滅）する。ステータス指示器222は、ステータス情報を常に提示する常時点灯指示器か、ユーザによって促されたときのみステータス情報を提示するオンコール指示器でよい。後者の場合、（図2Aに示される）ボタン224は、ステータス指示器222を動作させるために用意する。ユーザがボタン224を押したとき、ステータス指示器222は、所定時間の間（例えば、数秒間）ステータス情報を提示する。
【００６８】
図3は、ラップトップコンピュータ250に配置されたポートに差し込まれたメディアデバイス200を示している。接続された場合、ラップトップコンピュータ250は、メディアデバイス200に電力を供給するだけでなく、場合によっては電池を充電するために、メディアデバイス200に電力を供給する。メディアデバイス200は、典型的には、プラグアンドプレイデバイスであるため、ラップトップコンピュータ250は、メディアデバイス200をメディアデバイスとして認識し、場合によっては、ラップトップコンピュータ250のディスプレイ254上にメディアデバイスアイコン252を生成する。メディアデバイスアイコン252を選択すると、典型的には、メディアデバイス200のメモリに格納されているデータおよびメディアファイルを表示するウィンドウが開く。メディアデバイス200に格納されたデータおよびメディアファイルは、ドラッグアンドドロップ機能を使って、ラップトップコンピュータ250に転送することができる。加えて、ラップトップコンピュータ250に格納された新しいデータおよびメディアファイルは、ドラッグアンドドロップ機能を使って、メディアデバイス200のメモリに追加することができる。場合によっては、ラップトップコンピュータ250に格納されたメディアファイルのうちの幾つかまたは一部は、メディアデバイス200と自動的に同期がとられる。つまり、ラップトップコンピュータ250は、メディアデバイス200を認識し、メディアデバイス200がメディア機能を備えると判定した後、ラップトップコンピュータ250に格納されたメディアファイル（例えば、オーディオトラック）の全部または選択された少数を、メディアデバイス200のメモリに自動的に引き渡すように構成さる。さらに、ラップトップコンピュータ250は、メディアデバイス200を認識した場合、メディア管理アプリケーションを起動する。音楽管理プログラムの一例は、Apple（登録商標）Computer, Inc.（カリフォルニア州クパチーノ所在）により製造されているiTunes（登録商標）である。
【００６９】
図4および5を参照すると、メディアデバイス200は、ユーザの手270の中にうまく収まる（そして、ホストデバイスから外される）。図4に示されるように、手270の指274と手のひら276によってメディアデバイス200を保持しながら、手270の親指272で制御入力デバイス208を簡単に操作することができる。例えば、ユーザは、手270の位置、より具体的には指274の位置を変えずに親指272を制御入力デバイス208の様々なボタンの上に移動することができる。図5に示されるように、モードスイッチ214、さらにはステータスボタン224は、手270の親指272を使い、メディアデバイス200を残る指で保持しながら、簡単に操作することができる。例えば、ユーザは、親指272を使って、スライド式のモードスイッチ214を様々な位置に移動するほか、ステータスボタン224を選択することもできる。
【００７０】
図6を参照しつつ、一実施例の制御入力デバイス208を、さらに詳しく説明する。図に示されるように、制御入力デバイス208は、筐体202に対して傾斜する揺動(movable)可能なプラットフォーム230を備える。（図に示すように）場合によって、プラットフォーム230は筐体202に移動可能な形で結合され、他の場合、筐体202はフローティングプラットフォーム230を移動可能に拘束する。プラットフォーム230は、一般に、固定板234の上面に取り付けられた化粧(cosmetic)層またはタクト(tactile)層232を備える。化粧層232は、筐体202の開口部236を通して突き出し、制御入力デバイス208の様々な周辺ボタンを動作させるためのタクト面を形成する。例示されている実施例において、化粧層232は、丸みのある上面を備える。
【００７１】
さらに、制御入力デバイス208は、プラットフォーム230と筐体202の間に配置された一つまたは複数の機械式スイッチ238を備え、これにより、プラットフォーム230の移動に基づき入力信号を発生する。機械式スイッチ238は、典型的には、様々なボタンゾーンに対応する位置に配置される。ボタンゾーンは、それぞれ、ボタンゾーンの下に配置された異なる機械式スイッチ238を含む。機械式スイッチ238は、押されたときに入力信号を発生させるアクチュエータ240を備える。機械式スイッチ238の領域内のプラットフォーム230を傾けると、アクチュエータ240が圧縮されて、入力信号が発生する。多くの場合、アクチュエータ240は機械式スイッチ238から離れるように伸び、かつ、プラットフォーム230を直立位置にバイアスするようにバネ付勢されている。機械式スイッチ238は、筐体202またはプラットフォーム230に取り付けることができる。例示されている実施例において、機械式スイッチ238は、プラットフォーム230の背面に取り付けられている。機械式スイッチ238と、より具体的にはアクチュエータ240は、筐体202内でプラットフォーム230を直立位置に支える脚として働く（つまり、アクチュエータは、筐体上に、または、筐体に装着されている何らかのコンポーネント上に載っている）。例えば、機械式スイッチ238は、SMT用にパッケージングされたドーム型スイッチなどのタクトスイッチに対応する。
【００７２】
上述したように、プラットフォーム230は、筐体202内に用意された空洞242内に揺動可能(movably)に拘束される。本質的に、プラットフォーム230は、筐体202の空間内に浮いているが、それでも、そこに拘束されている（プラットフォームは、筐体に取り付けられていない）。図に示されるように、プラットフォーム230は、筐体202の側壁、上壁および底壁によって囲まれている。側壁は、xおよびy方向の移動だけでなくx軸の周りの回転も実質的に妨ぐように構成されている（例えば、傾斜動作時にプラットフォーム230が筐体に引っ掛かる(binding)のを防ぐために、僅かな遊びをもたらす小さなギャップを除く）。しかし、上壁および下壁は、z方向の移動（制限されてはいるが）とともに、xおよびy軸を中心とする回転を許容して傾斜動作が可能なように構成される。つまり、上壁および下壁は、プラットフォーム230を空洞242に拘束するが、これらは、機械式スイッチ238のアクチュエータ240を押し下げるためにプラットフォーム230が傾斜するために充分な余地を設ける。さらに、機械式スイッチ238によって与えられるバネの力は、プラットフォーム230の上面を筐体202の上壁の下面と嵌め合い結合(mating engagement)させる（例えば、直立位置）。
【００７３】
動作時、ユーザは、所望のボタンゾーンの位置でプラットフォーム230の上面を単に押すだけで、ボタンゾーンの位置のプラットフォーム230の下に配置された機械式スイッチ238を作動させる。機械式スイッチ238は、作動すると、メディアデバイス200に使用される入力信号を発生する。機械式スイッチ238を作動させるために、指によって加えられる力が、機械式スイッチ238が作動するまでアクチュエータ240のバネの力に対抗して働く。プラットフォーム230は、本質的に、筐体202の空洞内に浮いた状態であるが、ユーザがプラットフォーム230の片側の所望のボタンゾーンを押すと、反対側が上壁に接触し（押すのと反対）、プラットフォーム230は、接触点を中心に旋回（pivot、枢動）する。本質的に、プラットフォームは四つの異なる軸を中心に旋回する。
【００７４】
さらに、ボタンキャップ244は、化粧層232と固定板234の上側の間に配置される。ボタンキャップ244の上部は、化粧層232内の開口部を通って突出するように構成されるが、フランジ部分は、化粧層232と固定板234の間に形成される空間内に保持される。ボタンキャップ244の上部分が押され、ボタンキャップ244の下に配置されている第五のスイッチ246を作動する。第五のスイッチ246は、筐体202に取り付けられ、固定板234および化粧層232の開口部を通過することができる。第五のスイッチ246のアクチュエータ248は、組み立てられると、他のスイッチ238と類似のバネ要素を介して、ボタンキャップ244を直立位置に押しやる(force)。
【００７５】
図6で説明される具体的な実装は、制限ではなく、制御入力デバイス208は、様々な異なる方法で構成されることに留意されたい。2003年8月18日に出願された「MOVABLE TOUCHPAD WITH ADDED FUNCTIONALITY」という表題の米国特許出願第10/643,256号は、タッチセンサ式コンポーネントを備える制御入力デバイスを含む、使用可能な制御入力デバイスの幾つかの実施例を説明し、これは参照として本明細書に組み込まれる。
【００７６】
図7は、本発明の一実施例によるメディアデバイス700のブロック図である。メディアデバイス700は、メディアデバイス700の全体的な動作を制御するマイクロプロセッサまたはコントローラに関連するプロセッサ702を備える。メディアデバイス700は、ファイルシステム704およびキャッシュ706にメディアアイテムに関係するメディアデータを格納する。ファイルシステム704は、典型的には、半導体記憶装置(solid-state storage medium)である。例えば、半導体記憶装置は、FLASHメモリでよい。ファイルシステム704は、典型的には、メディアデバイス700用に大容量の記憶機能を備える。ファイルシステムの704は、メディアデータだけでなく非メディアデータをも格納することができる。メディアデバイス700がメディア再生モードで動作する場合、ファイルシステム704は、メディアファイルの格納および取り出しを行う。メディア再生モードにおいては、メディアデバイス700をメディアプレーヤと考えることができる。それとは別に、メディアデバイス700がデータモードで動作する場合は、ファイルシステム704は、データファイルの格納および取り出しを行う。データモードにおいて、メディアデバイス700は、FLASHドライブまたはUSBドライブと呼ぶことができる。しかし、ファイルシステム704のアクセス時間は、比較的遅いため、メディアデバイス700は、キャッシュ706を備える。キャッシュ706は、例えば、半導体メモリにより実現されるランダムアクセスメモリ(RAM)である。キャッシュ706の相対的アクセス時間は、ファイルシステム704に比べて実質的に短い。しかし、キャッシュ706は、ファイルシステム704の大きな記憶容量を持たない。さらに、ファイルシステム704は、アクティブだと、キャッシュ706よりも電力を消費する。消費電力は、多くの場合、メディアデバイス700が電池（図に示さない）駆動式の携帯メディアプレーヤの場合に問題になる。メディアデバイス700は、RAM720および読み取り専用メモリ(ROM)722も備える。ROM722は、不揮発性メモリの形態で、実行すべきプログラム、ユーティリティまたはプロセスを格納する。RAM720は、キャッシュ706などに使用される、揮発性データ記憶装置を実現する。
【００７７】
さらに、メディアデバイス700は、メディアデバイス700のユーザがメディアデバイス700とやり取りするために使用する一つまたは複数のユーザ入力デバイス708を備える。例えば、ユーザ入力デバイス708は、ボタン、キーパッド、ダイヤル、スイッチなど、様々な形態である。データバス711を使用することで、少なくともファイルシステム704、キャッシュ706、プロセッサ702、およびCODEC712の間のデータ転送が容易になる。
【００７８】
一実施例において、メディアデバイス700は、複数のメディア資産（例えば、歌曲、写真など）をファイルシステム704に格納するために使用される。ユーザが特定のメディア資産をメディアデバイス700に再生させたい場合、ユーザは、ユーザ入力デバイス708を操作して、メディアプレーヤモードを選択する。次に、ユーザは、ユーザ入力デバイス708を使用して、次に利用可能なメディア資産を再生することができる。プロセッサ702は、特定のメディアアイテムの選択結果を受け取った後、特定のメディアアイテムのメディアデータ（例えば、オーディオファイル）を符号器/復号機(CODEC)712に供給する。次に、CODEC712は、スピーカ714用のアナログ出力信号を発生する。スピーカ714は、メディアデバイス700の内部スピーカ、または、メディアデバイス700の外部スピーカである。例えば、メディアデバイス700に接続されたヘッドホンまたはイヤホンは外部スピーカと考えられる。
【００７９】
さらに、メディアプレーヤは、本発明の幾つかの実施例により、特定のメディア再生モードに設定することができる。モード選択は、典型的には、スイッチまたはボタンなどの、ユーザ入力デバイス708を使用して行われる。二つの典型的なメディア再生モードは、連続再生モードとシャフル再生モードである。一般に、シャフル再生モードにおいて、メディアプレーヤは、ランダムな順序でメディア資産のリストを通して再生するが、連続再生モードにおいては、既定の順序でメディア資産のリスト通して再生する。メディア資産のリストに対する既定の順序は、例えば(i)曲名のアルファベット順、(ii)アルバムのトラック位置順、または、(iii)メディアプレーヤにロードされた日付順にすることができる。本発明の一実施例において、メディアプレーヤのユーザがオフ、連続再生モードおよびシャフル再生モードを選択するために使用する三接点スイッチ(three position switch)を使用してメディアプレーヤモードが選択される。
【００８０】
さらに、メディアデバイス700は、データリンク718に結合するネットワーク/バスインタフェイス716を備える。データリンク718を使用することで、メディアデバイス700をホストコンピュータに結合することができる。データリンク718は、有線接続または無線接続を介して実現することができる。無線接続の場合、ネットワーク/バスインタフェイス716は、無線トランシーバを含む。一実施例において、メディアデバイス700は、ネットワーク/バスインタフェイスに結合された周辺機器バスコネクタを備える。周辺機器バスコネクタの実施例は、USBコネクタまたはFireWire（登録商標）コネクタである。
【００８１】
図7は、メディアデバイス700がディスプレイ（表示画面）を備えることを示さないことに留意されたい。従来のメディアプレーヤは、ユーザがメディアプレーヤとインタフェイスするためのディスプレイを必要とするが、図7に示されるメディアデバイス700は、ディスプレイを備えない。ディスプレイを備えないことにより、メディアプレーヤは、従来のメディアプレーヤよりも小さく、軽くすることができる。メディアデバイス700の様々なコンポーネントに電力を供給する電池720（少なくとも、ホストコンピュータ（または周辺機器バス）に接続していない場合）は、電力消費が低減されるため、小さくすることができる。電池720は、再充電可能な電池とすることができ、周辺機器バスから供給される電力を使用して充電回路722により充電することができる。
【００８２】
一実施例において、ユーザとメディアデバイス700（ディスプレイを欠く）とのやり取りを容易にするために、ユーザ入力デバイス708は、少なくともシャフルスイッチを備えることができる。シャフルスイッチを使用することで、ユーザはメディアデバイス700によって再生されるメディア資産（例えば、歌曲）をシャフルすることができる。さらに、ユーザ入力デバイス708は、再生、一時停止、次へ進む、次へ戻る、制御入力の一時無効化、および、メディア資産の再シャフルを、ユーザが合図するため使用する制御入力デバイスを備える。
【００８３】
図8は、本発明の一実施例によるメディア管理システム800のブロック図である。メディア管理システム800は、ホストコンピュータ802およびメディアプレーヤ804を備える。例えば、メディアプレーヤは、図7のメディアプレーヤ700とすることができる。ホストコンピュータ802は、典型的には、パーソナルコンピュータである。ホストコンピュータは、他の従来のコンポーネントの中でも、ソフトウェアモジュールである管理モジュール806を備える。管理モジュール806は、ホストコンピュータ802のメディア資産だけでなく、メディアプレーヤ804のメディア資産（および/またはプレイリスト）の集中管理を提供する。より具体的には、管理モジュール806は、ホストコンピュータ802に関連付けられたメディア記憶部808に格納されるメディア資産を管理する。さらに、管理モジュール806は、メディアデータベース810とやり取りして、メディア記憶部808に格納されたメディア資産に関連付けられているメディア情報を格納する。幾つかの実施例は、さらに、ホスト802とメディアプレーヤ804の両方にある他のデータファイル（つまり、非メディア資産ファイル）の管理を受けもつファイルマネジャ815も備える。
【００８４】
メディア情報は、メディア資産の特性または属性に関係する。例えば、聴覚または視聴覚メディアの場合、メディア情報は、タイトル、アルバム、トラック、作曲者およびジャンルのうちの一つまたは複数を含む。これらの種類のメディア情報は、特定のメディア資産に特有のものである。加えて、メディア情報は、メディア資産の品質特性に関連する。メディア資産の品質特性の例は、ビットレート、サンプルレート、イコライザ設定、音量調節、開始/停止時間および合計時間のうちの一つ以上を含む。
【００８５】
さらに、幾つかの実施例において、管理モジュール806は、ホストコンピュータ802とやり取りして、データファイル（つまり、ホストコンピュータ802に、典型的にはホストコンピュータのハードドライブ上に格納されている非メディア資産ファイル）をメディア記憶部808の間で転送する。それとは別に、幾つかの実施例において、データファイルは、メディア記憶部808と物理的および/または論理的に組み合わされるか、または分離されていてもよい、任意選択のデータ記憶部809の間で転送することができる。データファイルは、すべてのファイルタイプを含む、ファイルシステムに格納されることが可能な任意のデータを含むことが理解される。典型的なデータファイルとしては、テキスト文書、実行ファイルおよびグラフィクスファイルがある。それとは別に、幾つかの実施例において、管理モジュール806は、データファイルに直接アクセスしない。むしろ、ユーザがホストコンピュータ上で、ファイルマネジャ815を使用してメディアプレーヤ804の間でファイルの転送または削除を行い、そこでは、メディアプレーヤは、例えば、ディスクドライブまたはリムーバブル記憶メディアとして現れる。
【００８６】
データ記憶部809および/またはメディア記憶部808は、ホストコンピュータのファイルシステムの（例えば、図には示されないがハードドライブ上の）一つまたは複数のディレクトリ（例えば、フォルダ）を使用することができる。従来どおり、データ記憶部809に格納されているデータは、ファイルマネジャ815によりアクセスすることができる。加えて、一実施例においては、メディア記憶部808に格納されているメディア資産も、ファイルマネジャ815によりアクセスすることができる。ファイルマネジャ815は、例えば、Apple（登録商標）Computerのオペレーティングシステムの一部である「Finder」アプリケーションなどの、ファイルエクスプローラとすることができる。
【００８７】
さらに、ホストコンピュータ802は、再生モジュール812を備える。再生モジュール812は、メディア記憶部808に格納された幾つかのメディア資産を再生するために使用できるソフトウェアモジュールである。幾つかの実施例において、再生モジュール812は、さらに、メディアプレーヤ804上のデータ記憶部820に格納されたメディア資産などのメディア記憶部808の外部に格納されているメディア資産を再生するために使用することもできる。
【００８８】
さらに、ホストコンピュータ802は、メディアプレーヤ804内の対応する通信モジュール816に結合する通信モジュール814も備える。接続またはリンク818は、通信モジュール814および816をリムーバブルに結合する。一実施例において、接続またはリンク818は、当業者によく知られている、FIREWIRE（登録商標）バスまたはUSBバスなどのデータバスを実現するケーブルである。他の実施例において、接続またはリンク818は、無線ネットワークを介した無線チャネルまたは接続である。さらに他の実施例において、接続またはリンク818は、メディアプレーヤ804上のUSBコネクタをホストコンピュータ802上のUSBスロットに直接結合することにより確立されるUSB接続である。この実施例において、メディアプレーヤ804は、ケーブルを使用せずにホストコンピュータ802のUSBスロット内に直接挿入される。従って、実装に応じて、通信モジュール814および816は、有線または無線方式で通信することができる。
【００８９】
さらに、メディアプレーヤ804は、メディア資産をメディアプレーヤ804に格納するメディア記憶部820を備える。適宜、メディア記憶部820は、データファイルをデータ記憶部821内に格納することができる。メディア資産記憶装置820またはデータ記憶部821に格納されているメディア資産またはデータファイルは、典型的には、ホストコンピュータ802から接続またはリンク818を介して受信される。より具体的には、管理モジュール806は、接続またはリンク818を介して、メディアプレーヤ804内のメディア記憶部808またはファイル記憶部809に格納されたメディア資産またはデータファイルの全部または一部をメディアプレーヤ804内のメディア記憶部820またはファイル記憶部821に送信する。さらに、ホストコンピュータ802からメディアプレーヤ804に配送されるメディア資産に対応するメディア情報は、メディアデータベース822内に格納する。この点に関して、ホストコンピュータ802内のメディアデータベース810からの特定のメディア情報は、接続またはリンク818を介して、メディアプレーヤ804内のメディアデータベース822に送信することができる。さらに、メディア資産のうちの幾つかを識別するプレイリストも、接続またはリンク818を介して、管理モジュール806によりメディアプレーヤ804内のメディア記憶部820またはメディアデータベース822に送信することができる。
【００９０】
さらに、メディアプレーヤ804は、メディア記憶部820およびメディアデータベース822に結合する再生モジュール824を備える。再生モジュール824は、メディア記憶部820に格納された幾つかのメディア資産を再生するために使用できるソフトウェアモジュールである。
【００９１】
従って、一実施例において、メディアプレーヤ804は、メディアプレーヤ804上のメディア資産またはデータファイルを管理する能力が限られているか、または、まったくない。しかし、ホストコンピュータ802内の管理モジュール806は、メディアプレーヤ804に収められたメディア資産を間接的に管理することができる。例えば、メディア資産をメディアプレーヤ804に「追加」する場合、管理モジュール806は、メディア記憶部808からメディアプレーヤ804に追加すべきメディア資産を識別するために使用され、次に、識別されたメディア資産またはデータをメディアプレーヤ804に配送する。他の実施例として、メディア資産をメディアプレーヤ804から「削除」する場合、管理モジュール806は、メディア記憶部808から削除すべきメディア資産を識別するために使用され、次に、識別されたメディア資産をメディアプレーヤ804から削除する。さらに他の実施例として、ホストコンピュータ802において管理モジュール806を使用してメディア資産の特性の変更（つまり、改変）が行われた場合、そのような特性は、さらに、メディアプレーヤ804上の対応するメディア資産に引き継がせることができる。一実装においては、追加、削除および/または変更は、メディアプレーヤ804上のメディア資産とホストコンピュータ802上のメディア資産の同期が取られるときにバッチのようなプロセスで行われる。
【００９２】
それとは別に、幾つかの実施例において、メディアプレーヤ804上のデータ記憶部は、ファイル記憶部821と指定され、メディア記憶部820と組み合わされるか、または物理的および/または論理的にメディア記憶部820から分離される。上述したように、幾つかの実施例において、管理モジュール806は、通常、ホストコンピュータ802上のファイル記憶部809とメディアプレーヤ804上のファイル記憶部821の間のデータ転送に関与しない。これらの実施例において、ホストコンピュータ802上で稼働するファイルマネジャ815は、ファイル記憶部809とファイル記憶部821の間のデータの転送を管理するために使用することができる。例えば、ファイルマネジャ815を使用する場合、メディアプレーヤ804は、USBドライブとして現れ、データファイルは、メディアプレーヤ804が従来のUSBドライブであるかのようにアクセスされる。
【００９３】
他の実施例において、メディアプレーヤ804は、メディアプレーヤ804上のプレイリストを管理する能力が限られているか、または、まったくない。しかし、ホストコンピュータ802内の管理モジュール806は、ホストコンピュータに収めらたプレイリストの管理を通して、メディアプレーヤ804に収められたプレイリストを間接的に管理することができる。この点に関して、プレイリストへの追加、削除または変更は、ホストコンピュータ802上で実行することができ、次に、配送されるときにメディアプレーヤ804に引き継がれる。
【００９４】
既に指摘したように、同期は、メディア管理の一形態である。同期を自動的に開始できることも、上で説明しており、また上で指摘されている関連出願において、既に説明されている。しかし、デバイス間の同期は、ホストコンピュータとメディアプレーヤが互いに認識しない場合に自動的な同期が行われることを防ぐたため、制限することができる。
【００９５】
一実装において、ホストコンピュータは、ホストコンピュータ上に常駐するアプリケーションを使用して、プレイリストの利用を許可し、プレイリストの管理を行うことができる。このようなアプリケーションの一つに、Apple（登録商標）Computer, Inc.（カリフォルニア州クパチーノ所在）により生産されているiTunes（登録商標）がある。
【００９６】
本発明の他の実施例は、一つまたは複数のステータス指示器を備える、携帯メディアプレーヤなどの携帯メディアデバイスに関する。ステータス指示器は、有益なユーザフィードバックを返し、これは、携帯型デバイスがLCDディスプレイなどの表示画面（ディスプレイ）を欠いている場合に、とく役立つ。ステータス指示器は、聴覚的なものまたは視覚的なものにすることができる。
【００９７】
図9Aおよび9Bは、本発明の一実施例によるメディアデバイス900の上面901のブロック図である。メディアデバイス900は、例えば、図1のメディアデバイス100、または、図2Aおよび2Bに示されているメディアデバイス200である。メディアデバイス900は、関連するメディアデバイスステータスを示すメディアデバイスステータス指示器903を備える。図に示す実施例によれば、メディアデバイスステータス指示器903は、視覚的なメディアデバイスステータス指示器である。例えば、視覚的なステータス指示器は、一つまたは複数のLEDにより実装する。複数のLEDを使用する場合、一つまたは複数のLEDは、異なるメディアデバイス状態を示すために異なる色を用いる。メディアデバイスステータスが変化したとき、ユーザには単一のステータス指示器903が色を変えていると見えるように、一つまたは複数のLEDの配置を互いに接近配置することができる。図に示すメディアデバイス900は、さらに、ユーザコントロールパネル905も備え、これは、一つまたは複数のスイッチ、ボタン、ジョイスティック、タッチパッドなどにすることができる。一実施例において、ユーザコントロールパネル905は、図2Aに例示されている制御入力デバイス208である。幾つかの実施例において、ステータス指示器903は、ユーザコントロールパネル905上に配置されている一つまたは複数のユーザコントロール（図には示さない）と一体であってもよい。
【００９８】
さらに、本発明の一実施例は、一体型の周辺機器バスコネクタ907、および、再充電可能な電池（図には示さない）を備える。再充電可能な電池は、携帯メディアデバイス900が周辺機器バスコネクタ907を介して周辺機器バスに接続された場合に充電される。上記のように、USBコネクタまたはFireWire（登録商標）コネクタは、周辺機器バスコネクタの実施例である。幾つかの実施例において、取り外し可能キャップ909を使用して、周辺機器バスコネクタ907を保護および/または隠すことができる。
【００９９】
本発明の一実施例において、異なる色の二つのLEDが、メディアデバイスステータス指示器903として使用される。この実施例において、第一の色のLEDは、一つまたは複数のユーザコントロールを操作するユーザに対応する視覚的なフィードバックをユーザに返すために使用される。第二の色は、メディアデバイス900が充電中であるという視覚的なフィードバックをユーザに返すために使用される。第一の色のLEDは、ユーザがユーザコントロールパネル905上の第一のユーザコントロール（例えば、ボリュームコントロール）を操作するごとに一回点滅させる。ユーザコントロールパネル905上の第二のユーザコントロール（例えば、再生/一時停止コントロール）が操作された場合、選択されたアクションが続いている間、第一の色のLEDは常時点滅している。この実施例によれば、第一の色のLEDと異なる色を発光する第二の色のLEDは、メディアデバイス900が充電している間、例えば、メディアデバイス900が、メディアデバイス900に電力供給が可能な周辺機器バスにプラグインされている場合、常時点滅する。
【０１００】
図9Cは、本発明の一実施例による図9Aおよび9Bに示されるメディアデバイス900の第二の表面925のブロック図である。メディアデバイス900は、関連するメディアデバイスステータスを示すメディアステータス指示器929を備える。図に示される実施例によれば、メディアデバイスステータス指示器929は、視覚的なメディアデバイスステータス指示器である。例えば、視覚的なステータス指示器は、一つまたは複数のLEDにより実装する。複数のLEDが使用される場合、一つまたは複数のLEDは、異なるメディアデバイス状態を示すために異なる色を用いる。一実施例において、メディアデバイスステータスが変化したとき、ユーザには単一のステータス指示器929が色を変えていると見えるように、一つまたは複数のLEDを互いに接近配置する。図に示されるメディアデバイス900は、さらに、ユーザコントロールパネル927も備え、これは、一つまたは複数のスイッチ、ボタン、ジョイスティック、タッチパッドなどにすることができる。一実施例において、ユーザコントロールパネル927は、図2Aに例示されている制御入力デバイス208である。一実施例において、ステータス指示器929は、ユーザコントロールパネル927上に配置される一つまたは複数のユーザコントロールと一体であってもよい。例えば、図2Aにおいて参照され説明されたステータス指示器222は、ボタン224と一体になっていると考えることができる。
【０１０１】
本発明の一実施例において、異なる色の三つのLEDが、メディアデバイスステータス指示器929を実装するために使用される。この実施例において、LEDの三色それぞれは、異なる電池状態に対応する視覚的なフィードバックをユーザに返すために使用される。電池寿命を保持するために、幾つかの実施例において、メディアデバイスステータス指示器929は、ユーザコントロール（図には示さない）により作動され、ユーザがユーザコントロールを操作した後、短時間（例えば、五秒間）だけ動作する。
【０１０２】
例えば、一実施例において、第一の色のLEDは、メディアデバイス900に電力を供給する電池がほとんど充電されたことを示すために点灯する。メディアデバイス900が動作していると、やがて電池は第一の所定電圧まで放電し、電池の充電が不充分であることを示す。そこで、第一の色のLEDがオフになり、第二の色のLEDが点灯して、電池が少し放電したことをユーザに示す。電池が引き続き第二の所定電圧まで放電すると、第二の色のLEDがオフになり、第三の色のLEDが点灯して、電池がほとんど放電したことをユーザに示す。最後に、電池がほぼ完全に放電した場合、単一のLED（任意の色の）が常時点滅し、電池レベルがメディアデバイス900の動作を継続させるのに不充分であるため、メディアデバイス900をシャットダウンする準備ができていることをユーザに示す。これ以降、メディアデバイスステータス指示器は、どのような指示の発生も停止し（つまり、どのLEDも点灯しない）、電池が実質的に完全放電して、メディアデバイス900を再度使用するには充電が必要であることをユーザに示す。
【０１０３】
図10Aおよび10Bは、本発明の一実施例による携帯メディアデバイス1000のユーザコントロールを例示する図である。
【０１０４】
図10Aは、三接点スイッチ(three-position switch)1004を含む、メディアデバイス1000の第一のコントロール表面1002を例示している。三接点スイッチ1004は、オフ位置1006、シャフル再生モード位置1008、および、連続再生モード位置1010を切り替える。シャフル再生モード位置1008は、図7を参照し説明したように、また図13〜16を参照し説明するように、メディアデバイスシャフル再生モードに対応する。一般に、シャフル再生モードにおいて、メディアデバイスは、無作為な順序でメディア資産のグループを再生する。連続再生モード位置1010は、メディアデバイス連続再生モードに対応し、メディアデバイスは、既定の順序に従ってメディア資産のリストを再生する。オフ位置1006において、ユーザは携帯メディアデバイス1000の電源を切ることができる。三接点スイッチ1004は、シャフル再生モード位置1008に示されている。本発明の一実施例において、三接点スイッチ1004は、図9Aおよび9Bのユーザコントロールパネル927上に配置されている。本発明の他の実施例において、三接点スイッチ1004は、図2Bのスライド式のモードスイッチ214として実装することができる。
【０１０５】
図10Bは、一組のメディアデバイスコントロール1050を含む、メディアデバイス1000の第一のコントロール表面1020を例示している。これらのメディアデバイスコントロール1050は、音量増コントロール1022、音量減コントロール1024、一時停止/再生コントロール1026、次/早送りコントロール1028、および、前/巻き戻しコントロール1030を含む。本発明の一実施例において、メディアデバイスコントロール1050は、図9Aおよび9Bのユーザコントロールパネル905上に配置されている。本発明の幾つかの実施例において、この一組のメディアデバイスコントロール1050は、図2Aに例示されているクリック可能なボタン駆動部208として実装することができる。さらに、幾つかの実施例において、メディアデバイスコントロールの一つまたは複数は、複数の機能を備えるようにオーバロードされる。例えば、一時停止/再生コントロール1026は、ホールドボタンとして機能し、メディアデバイスコントロールが偶発的な制御入力を防ぐ（例えば、メディアデバイスがポケットに入っている場合）ことを無効にすることができる。この実施例において、一時停止/再生コントロールを押して、所定時間（例えば、三秒間）押したままにすると、メディアデバイスコントロールホールドが開始する。ホールドをキャンセルするには、一時停止/再生コントロール1026を押して、メディアデバイスコントロールホールドを開始する際と同じ方法で保持する。
【０１０６】
本発明の他の面は、電源を切る前にメディアプレーヤステータス情報を持続性メモリに格納する機能を有する携帯メディアプレーヤに関するものである。その後、携帯メディアプレーヤの電源が再投入されると、格納されたメディアプレーヤステータス情報を取り出して、使用することができる。実際、携帯メディアプレーヤは、オフにされたときにメディア資産の何処を再生していたかを覚えていて、後にオンにされると、オフにされた所からメディア資産を再生することができる。
【０１０７】
図11は、本発明の一実施例によるメディアプレーヤ1100の電源を落すプロセスの流れ図である。例えば、メディアプレーヤの電源を落すプロセス1100は、メディアプレーヤにより実行される。例えば、メディアプレーヤは、図1、2A、2B、7、および9A〜9Cに例示されているメディアデバイス100、200、700または900とすることができる。より一般的には、メディアプレーヤは、持続性メモリ記憶能力を備えるメディアプレーヤにより実現できる。一実施例において、持続性メモリは、FLASHメモリなどの不揮発性メモリである。例えば、図7のファイルシステム704は、持続性記憶装置を備える。
【０１０８】
メディアプレーヤの電源を落すプロセス1100は、パワーオフ要求を受け取ったか否かを判定する判定1101から始まる。パワーオフ要求は、ユーザアクションまたはシステムコマンドから発せられる。ユーザアクションの一例は、オフスイッチを操作することである。それとは別に、パワーオフ要求が、システムコマンドから発せられた場合、コマンドは、所定の不活動期間の後またはローバッテリ条件など、ユーザ設定選択(user-set preference)の結果でよい。
【０１０９】
パワーオフ要求を受け取った後、メディアプレーヤ電源オフプロセス1100は、メディアプレーヤからのメディアプレーヤステータス情報を判定する(1102)。例えば、メディアプレーヤステータス情報は、図7に示されるプロセッサ702など、メディアプレーヤを操作するプロセッサにより判定することができる。例えば、メディアプレーヤステータス情報は、メディアプレーヤの状態情報と考えることができる。状態情報は、メディアプレーヤが、後に、同じ（または実質的に同じ）状態から再生を再開できるようにメディアプレーヤの状態を記述する。メディアプレーヤステータス情報は、限定はしないが、提示されている（例えば、再生されている）一つまたは複数の現在のメディア資産（つまり、メディア資産ポインタ）、メディア資産内の現在位置（例えば、現在のメディア資産の経過時間）（つまり、メディア資産位置）、メディアプレーヤ音量、メディアプレーヤ一時停止ステータス、および、現在のメディア資産プレイリストを含む。幾つかの実施例においては、メディア資産プレイリスト有効性指示器（後述）も格納される。メディアプレーヤステータス情報は、ステータス指示によって表すことができる。表1は、メディアプレーヤステータス情報ステータス指示の例示的リストとともに、例示的な変数名およびサンプル値を示している。
表1
───────────┬──────────┬───────────
ステータス指示    │       変数名       │      サンプル値
───────────┼──────────┼───────────
現在のプレイリスト    │Playlist_pointer    │{continuous, shuffle}
│(pp)                │
───────────┼──────────┼───────────
現在のメディア資源    │Media_asset_pointer │メモリロケーション
│(map)               │へのポインタ
───────────┼──────────┼───────────
現在のメディア資源の  │Media_asset_position│時刻
位置                  │(pos)               │
───────────┼──────────┼───────────
現在のメディア        │Volume_level        │音量レベル
プレーヤの音量        │(vol)               │
───────────┼──────────┼───────────
現在のメディアプレーヤ│Pause_status        │{pause, play}
一時停止ステータス    │(ps)                │
───────────┼──────────┼───────────
現在のプレイリストの  │Valid_list_flag     │{valid, invalid}
有効性                │(v?)                │
───────────┴──────────┴───────────
【０１１０】
次に、メディアプレーヤステータス情報は、メディアプレーヤの持続性メモリに格納される(1103)。例えば、メディアプレーヤステータス情報は、FLASHメモリまたは他の不揮発性メモリなどのメディアプレーヤのメモリに格納する。その後、メディアプレーヤの電源が落とされる(1105)。そして、メディアプレーヤの電源を落すプロセス1100は、完了し終了する。
【０１１１】
図12は、本発明の一実施例によるメディアプレーヤ電源投入プロセス1200の流れ図である。メディアプレーヤ電源投入プロセス1200は、メディアプレーヤを、メディアプレーヤステータス情報が格納されたときと実質的に同じ状態に戻す。一実施例において、メディアプレーヤは、図11のメディアプレーヤの電源を落すプロセス1100などに従って、メディアプレーヤの電源がオフにされたときに存在していたメディアプレーヤ状態に戻される。例えば、メディアプレーヤ電源投入プロセス1200は、メディアプレーヤにより実行される。例えば、メディアプレーヤは、図1、2A、2B、7、および9A〜9Cに例示されているメディアデバイス100、200、700または900にすることができる。
【０１１２】
メディアプレーヤ電源投入プロセス1200は、パワーオン要求されたか否かを判定する判定1201から始まる。パワーオン要求は、ユーザアクションまたはシステムコマンドから発せられる。ユーザアクションの一例は、パワーオン要求を発行することである。パワーオン要求がシステムコマンドから発せられる場合、コマンドは、例えば、メディアプレーヤをホストコンピュータに接続した結果であり得る。
【０１１３】
判定1201において、パワーオン要求されたと判定した後、持続性メモリからメディアプレーヤステータス情報が検索される(1203)。例えば、メディアプレーヤステータス情報は、FLASHメモリまたは他の不揮発性メモリなどのメディアプレーヤのメモリから検索する(1203)。本発明の一実施例によれば、検索(1203)されたメディアプレーヤステータス情報は、メディアプレーヤの状態情報と考えることができる。状態情報は、メディアプレーヤが、前回電源オフにされたときと同じ（または実質的に同じ）状態に戻せるようにメディアプレーヤの状態を記述する。メディアプレーヤステータス情報は、限定はしないが、メディア資産ポインタ、メディア資産位置（例えば、経過時間）、メディアプレーヤ音量、メディアプレーヤ一時停止ステータスおよびメディア資産プレイリストのうちの一つまたは複数を含む。他の実施例において、メディアプレーヤステータス情報は、ステータス指示を含む。例えば、ステータス指示は、表1に示されるメディアプレーヤステータス情報ステータス指示のうちの一つまたは複数にすることができる。典型的には、検索されたメディアプレーヤステータス情報は、メディアプレーヤの電源が前回オフされた場合に格納されているが、既定値またはユーザによって前回設定された値でもよい。例えば、メディアプレーヤ音量指示は、メディアプレーヤが起動したときにユーザのヘッドホンの音量レベルが思いのほか大きくなるのを防ぐため、自動的に、既定値に設定することができる。さらに、幾つかの実施例において、メディア資産プレイリストの有効性指示は、メディアプレーヤステータス情報の一部として検索する(1203)ことができる。
【０１１４】
メディアプレーヤステータス情報が検索(1203)された後、メディアプレーヤは、検索したメディアプレーヤステータス情報に従い設定される(1205)。一実施例において、メディアプレーヤは、メディアプレーヤステータス情報が持続性メモリに格納されたときと同じまたは実質的に同じ状態であるように設定される(1205)。最後に、メディアプレーヤは、メディアプレーヤステータス情報に従って一つまたは複数のメディア資産を提示する(1207)。その後、メディアプレーヤ電源投入プロセス1200は終了する。
【０１１５】
本発明のさらに他の面は、メディア資産プレイリストを横断(traverse)する方法に関する。この方法は、少なくとも一つのメディア資産連続プレイリストおよびメディア資産シャフル再生リストを含み、一つまたは複数のメディア資産プレイリスト内の一つまたは複数のメディア資産を提示することを含む。さらに、この実施例において、新しいメディア資産シャフルプレイリストが作成される状況について説明する。これらの方法は、資源または電力が、多くの場合、限られている携帯メディアデバイス上で実行するのに好適である。
【０１１６】
図13は、本発明の一実施例によるメディア資産シャフルプレイリストの横断プロセス1300の流れ図である。この実施例は、メディアプレーヤ、例えば、図1、2A、2B、7、および9A〜9Cに例示されているメディアデバイス100、200、70、または900を使用してメディア資産シャフルプレイリストを横断するために使用される。メディア資産シャフルプレイリスト（shuffle playlist）は、メディア資産プレイリストの一種である。例えば、メディア資産シャフルプレイリストは、メディア資産プレイリストのシャフルされたバージョンである。本発明の幾つかの実施例において、メディア資産シャフルプレイリストは、無作為に生成されるプレイリストであり、これはメディアプレーヤ上に局所的に生成されている。他の実施例において、図8のコンピュータ802などのホストコンピュータ上においてプレイリストを無作為に生成することができる。
【０１１７】
メディア資産シャフルプレイリストの横断プロセス1300は、提示要求を受け取ったか否かを判定する判定1301から始まる。提示要求は、ユーザ要求またはシステム要求とすることができる。上記のように、提示動作は、メディア資産を提示（例えば、再生）するためにメディアプレーヤによって使用される。メディア資産を提示することのほかに、メディアプレーヤによりサポートされる他の共通動作には、メディア資産の早送りまたは巻き戻し、並びに、次のメディア資産へのスキップ送りまたは前のメディア資産へのスキップ戻りがある。提示要求を受け取らなかった場合、メディア資産シャフルプレイリストの横断プロセス1300は、提示要求を受け取るまで待つ。他方、提示要求を受け取った場合、シャフルプレイリストが存在するか否かの判定1303を行う。判定1303において、シャフルプレイリストが存在しないと判定された場合、シャフルプレイリストが作成される(1311)。シャフルプレイリストの作成1311に続いて、シャフルプレイリストからメディア資産が検索される(1313)。検索されたメディア資産は、典型的には、シャフルプレイリストが新たに作成された場合、シャフルプレイリストの最初のメディア資産である。次に、検索されたメディア資産は、メディア資産プレーヤ(media assert player)上に提示される（例えば、再生される）(1315)。シャフルプレイリストから検索(1315)されたメディア資産が提示された後、メディア資産シャフルプレイリストの横断プロセス1300は、判定1303とその後のブロックに戻る。本発明の幾つかの実施例によれば、メディア資産を「提示する」ということは、メディアデバイスを使用してオーディオを出力することを意味する。しかし、提示することは、さらに、メディア資産の早送りまたは巻き戻し、並びに、次の資産へのスキップ送りまたは前のメディア資産へのスキップ戻りを含み、少なくとも、典型的なメディアプレーヤに一般的に関連する動作を含むことができる。
【０１１８】
それとは別に、判定1303において、シャフルプレイリストが存在すると判定された場合、そのシャフルプレイリストが取得される(1307)。例えば、シャフルプレイリストの取得(1307)は、シャフルプレイリストへのポインタまたはシャフルプレイリスト内の現在のメディア資産を検索することにより可能である。次に、判定1309において、得られたシャフルプレイリストが有効か否かが判定される。一実施例において、シャフルプレイリストの有効性は、メディアプレーヤに格納されているフラグまたは他の指示(indicator)により示され得る。判定1309において、シャフルプレイリストが有効ではないと判定された場合、メディア資産シャフルプレイリストの横断プロセス1300は、シャフルプレイリストを作成し(1311)、次に、上述したように引き続きブロック1313および後続のブロックに進む。他方、判定1309において、シャフルプレイリストが有効と判定された場合、メディア資産シャフルの横断プロセス1300は、引き続き直接、ブロック1313および後続ブロックに進む。
【０１１９】
メディア資産シャフルプレイリストの横断プロセス1300はシャフルプレイリストに適用されるが、メディア資産シャフルプレイリストの横断プロセス1300は、さらに、他の種類のプレイリストにも適用できることが理解されるであろう。さらに、本発明の幾つかの実施例において、メディア資産シャフルプレイリストのステータスは、例えば、図11のメディアプレーヤの電源を落すプロセス1100などの電源を落すプロセス実行において格納される。さらに、本発明の幾つかの実施例において、メディア資産シャフルプレイリストのステータスは、図12のメディアプレーヤ電源投入プロセス1200などの電源投入プロセス実行時に検索される。
【０１２０】
図14Aおよび14Bは、本発明の一実施例によるメディア資産リストの横断プロセス1400の流れ図である。メディア資産リストの横断プロセス1400は、例えば、メディアプレーヤ、例えば、図1、2A、2B、7および9A〜9Cに例示されているメディアデバイス100、200、700または900により実行される。
【０１２１】
メディア資産リストの横断プロセス1400は、メディア資産シャフルプレイリストが有効か否かを判定する、判定1401から始まる。例えば、判定1401は、例えば図13の動作1307の間に、メディア資産シャフルプレイリストがアクセスされた場合に実行される。幾つかの実施例において、有効性の判定は、プレイリスト有効性指示の値を調べることにより行うことができる。判定1401において、メディア資産シャフルプレイリストが有効と判定された場合、メディア資産シャフルプレイリスト上の始めおよび/または次のメディア資産が検索され(1407)、提示される(1409)。典型的には、メディア資産プレイリストが新しい場合、メディア資産シャフルプレイリストの始めのメディア資産が検索される(1407)。しかし、メディア資産シャフルプレイリストが部分的に横断された場合（例えば、メディア資産シャフルプレイリストの幾つかのメディア資産は、既に提示されている(1409)）、メディア資産プレイリストの次のメディア資産が検索される(1407)。他方、判定1401において、メディア資産シャフルプレイリストが無効と判定された場合、新しいメディア資産シャフルプレイリストが作成され(1403)、その新しいメディア資産シャフルプレイリストに関連付けられている有効性指示(validity indicator)は有効に設定される(1405)。シャフルシーケンスを生成する技術は、当業者にはよく理解されている。例えば、一技術では乱数生成器を使用し、この実施例は、すべての目的に関して全体が参照により本明細書に組み込まれる米国特許第6,707,768号に記載されている。有効性指示は、例えば、表1に示されている現在のプレイリスト有効性ステータス指示とすることができる。ブロック1405に続いて、メディア資産シャフルリスト作成プロセスは、ブロック1407に進む。
【０１２２】
メディア資産シャフルプレイリストの始めまたは次のメディア資産を検索した後(1407)、検索されたメディア資産が提示される(1409)（例えば、再生される）。次に、判定1411において、メディアプレーヤが連続モードに切り替えられたか否かを判定する。なお、連続モードは、メディア資産連続プレイリストに関連付けられている。例えば、メディアプレーヤは、スイッチなどの入力デバイスを使用することにより連続モードに切り替えることができる。典型的には、幾つかの実施例において、連続モードを作動させるのに、ユーザが現在選択されているシャフルプレイリストを聴きたくなくなったというような理由から、ユーザは手動でメディアプレーヤのスイッチを連続モード設定に切り替える。本発明の一実施例によるメディア資産連続プレイリストは、図15Aおよび15Bを参照して以下に説明される。
【０１２３】
判定1411において、メディアプレーヤが連続モードに切り替えられたと判定された場合、メディア資産シャフルリストの作成プロセス1400は、引き続き、メディア資産連続プレイリストの横断に関連する他の処理に進む。そうでない場合、判定1413では、メディアプレーヤが新しいメディア資産シャフルプレイリストを作成(1403)をメディアプレーヤのユーザが要求したか否かを判定する。このユーザ要求は、本発明の幾つかの実施例によれば、メディアプレーヤコントロールを操作することにより開始される。専用メディアプレーヤコントロールを使用するか、既存のメディアプレーヤコントロールをオーバロードして新しいメディア資産シャフルプレイリストを要求する機能を働かせることができる。本発明の幾つかの実施例において、メディアプレーヤコントロール、例えば図10の一時停止/再生コントロール1026は、素早く連続して数回押された場合に、新しいメディア資産シャフルプレイリストの作成(1403)が要求されるようにオーバロードされる。幾つかの実施例において、新しいシャフルプレイリストの作成は、メディアプレーヤコントロールを素早く連続して三回、例えば二秒以内に三回押すことにより開始される。
【０１２４】
判定1413において、ユーザが新しいメディア資産シャフルプレイリストの作成を要求したと判定された場合、メディア資産プレイリスト有効性指示は「無効」に設定される(1417)。他方、ユーザが新しいメディア資産シャフルプレイリストの作成を要求しない場合、判定1413の指示により、メディア資産シャフルプレイリストの作成プロセス1400は判定1415および後続のブロックに進む。判定1415において、シャフルプレイリストの終わりに達したと判定された場合、メディア資産プレイリスト有効性指示は「無効」に設定される(1417)。それとは別に、シャフルプレイリストの終わりに達していない場合、メディア資産リストの横断プロセス1400は、ブロック1407および後続のブロックに戻る。次に、ブロック1417にどのように到達したかに関係なく、ブロック1417に続いて、メディア資産シャフルリストの作成プロセス1400は、ブロック1401および後続のブロックに戻る。
【０１２５】
より具体的には、判定1411において、メディアプレーヤが連続モードに切り替えられたと判定された場合、判定1455において、メディアプレーヤがメディア資産間の遷移（例えば、曲の末尾）に達したか否かを判定する。そうであれば、メディア資産プレイリスト有効性指示は「無効」に設定される(1457)。それとは別に、メディアプレーヤが連続モードで再生している間に遷移に到達しない場合、メディア資産リストの横断プロセス1400は、引き続き、判定1463および後続のブロックに進む。判定1463において、メディアプレーヤが連続モードに切り替えられたか否かが判定される。メディアプレーヤが連続モードに切り替えられた場合、メディア資産リストの横断プロセス1450は、メディア資産シャフルプレイリストプロセス1400の判定1402に戻る。他方、メディアプレーヤがシャフルモードに切り替えられていない場合、判定1463の指示により、メディア資産リストの横断プロセス1450は判定1455および後続のブロックに進む。この実施例によれば、メディア資産の遷移に達する前にユーザがメディアプレーヤをシャフルモードに戻した場合、メディア資産プレイリスト有効性指示は「無効」に設定されない。
【０１２６】
次に、メディア資産連続プレイリストの始めまたは次のメディア資産が検索され(1459)、提示される(1461)。本発明の一実施例によれば、メディアプレーヤが、例えば図14Aの判定1411の前に、シャフルモードから連続モードに切り替えられた直後の場合、メディアプレーヤは、メディア資産連続プレイリストの始めのメディア資産を検索し(1459)、提示する(1461)。しかし、メディア資産連続プレイリストが部分的に横断された場合（例えば、メディア資産シャフルプレイリスト上の幾つかのメディア資産は、既に提示されている(1461)）、メディア資産プレイリストの次のメディア資産が検索される(1407)。これ以降、メディア資産リストの横断プロセス1400は、引き続き、判定1463および後続のブロックに進む。
【０１２７】
本発明の幾つかの実施例によれば、メディア資産連続リストの終わりに達した場合、メディア資産リストの横断プロセス1400は、メディア資産連続リストの始めのメディア資産からやり直す。しかし、他の実施例において、任意選択の判定1465が追加される。判定1465において、メディア資産連続リストの終わりに達したと判定された場合、メディア資産リストの横断プロセス1400は終了する。そうではない場合、これらの実施例によれば、メディア資産リストの横断プロセス1400は、引き続き、判定1455および後続のブロックに進む。
【０１２８】
図15Aおよび15Bは、本発明の一実施例による例示的なメディア資産プレイリストの配列の図である。本発明の幾つかの実施例において、メディア資産プレイリストは、持続性メモリに格納される。他の実施例において、メディア資産プレイリストは、揮発性メモリに格納される。このプレイリスト配列は、携帯メディアプレーヤ、例えば、図1、2A、2B、7および9A〜9Cに例示されているメディアデバイス100、200、700または900とともに使用するのに適している。
【０１２９】
図15Aは、メディア資産プレイリスト1501が連続プレイリストのメディア資産データエントリ1503を含むメディア資産プレイリスト配列1500を例示している。メディア資産データエントリ1503は、メディア記憶装置1509に配置されているメディア資産1507へのポインタ1505を含む。例えば、メディア記憶装置1509は、図8のメディアプレーヤ804内のメディア記憶部820である。さらに、プレイリストポインタ(pp)1511およびメディア資産ポインタ(map)1513が図に示されている。プレイリストポインタ1511は、現在選択されているプレイリストに追従するために使用される。幾つかの実施例において、スイッチなどのメディアプレーヤコントロールを操作すると、プレイリストポインタ1511は他のプレイリストを指すように変更される。図15は、プレイリスト記憶装置1502内に格納されている単一プレイリストを示している。しかし、幾つかの実施例では複数のプレイリストが使用される（図15Bを参照）。メディア資産ポインタ1513は、提示（例えば、再生）されている現在のメディア資産1507を指している。
【０１３０】
図15に示されている実施例において、メディア資産プレイリスト1501は、連続メディア資産プレイリスト(cont_PL)である。連続メディア資産プレイリスト1501は、典型的には、メディア資産が、とくに無作為でない順序で配列されているプレイリストである。例えば、連続メディアプレイリスト1501は、アーティスト別、作成者別、アルバム別、またはアルファベット順に配列することができる。それとは別に、連続メディア資産プレイリスト1501は、ユーザ指定の順序で配列することもできる。典型的には、連続メディア資産プレイリスト1501は静的である（つまり、変化しない）。しかし、幾つかの実施例において、メディア資産プレイリスト1501は、ホストコンピュータ上で実行されるメディア管理アプリケーション、例えば、図2のホストコンピュータ202上で実行される管理モジュール206を使用して変更することができる。
【０１３１】
上述したように、メディア資産ポインタ1513は、現在選択されているメディア資産データエントリ1503（図15においてCPL_xと指定されている）を指す。メディア資産プレイリスト1501が横断されると、メディア資産ポインタ1513は、ポインタ1505に指されるべきメディア資産1507の提示の完了後（例えば、歌曲の再生が終了した後）、メディア資産プレイリスト1501内の次の連続プレイリストのメディア資産データエントリ1503に移動する。例えば、メディア資産プレイリスト1501は、メディア資産プレイリストの横断プロセスにより横断することができる。典型的なメディア資産プレイリストの横断プロセスは、プレイリスト内の第一の連続プレイリストのメディア資産データエントリ1503から始まり、メディア資産プレイリストの始め（図15でCPL_1と指定されている）からメディア資産プレイリストの終わり（図15でCPL_nと指定されている）へ順次メディア資産エントリ1503を横断する。当業者であれば、メディアストア内のメディア資産1507の順序が重要でないことを理解することに留意されたい。従って、図15は、連続プレイリストのメディア資産データエントリ1503と異なる順序で編成されたメディア資産1507を示している。
【０１３２】
メディア資産プレイリスト配列1500を使用してメディア資産1507を提示する一実施例は、メディア資産ポインタ1513が現在指している特定のプレイリストのメディア資産データエントリ1503にメディアプレーヤがアクセスすることを伴う。次に、連続プレイリストのメディア資産データエントリ1503に関連付けられているポインタ1505に従って、メディア資産1507を特定する。
【０１３３】
図15Bは、本発明の一実施例によるメディア資産プレイリスト配列1550を例示している。図15の1501〜1509について与えられている説明は、図15Bにも当て嵌まる。さらに、図15Bは、プレイリスト記憶装置1502に格納されているメディア資産シャフルプレイリスト1551を示している。メディア資産シャフルプレイリスト1551(shuffle_PL)は、連続プレイリストのメディア資産データエントリ1503へのポインタ1555を含むシャフルプレイリストのメディア資産データエントリ1553を含む。ポインタのこの配列は、単に、シャフルプレイリストを説明するための一方法に過ぎず、例示目的のみであることが意図されている。コンピュータプログラミングの当業者であれば、シャフルプレイリストを実装する方法は多数あり、また、この説明が例示的であることが意図されていることを理解するであろう。
【０１３４】
図15を参照して上で説明したように、プレイリストポインタ(pp)1511も、図15Bに示されている。図15Bでは、プレイリストポインタ1511は、メディア資産シャフルプレイリスト1551を指している。しかし、プレイリストポインタ1511は、どのプレイリストをも指すことができる（点線とプレイリストポインタ1511'により示されている）。幾つかの実施例において、スイッチなどのメディアプレーヤコントロールを操作すると、プレイリストポインタ1511は他のプレイリストを指すように移動される。例えば、図15Bに示されている二つのプレイリストの何れか（shuffle_PLおよびcont_PL）は、メディアプレーヤコントロールを操作することにより選択できる。一実装において、メディアプレーヤコントロールは、少なくとも「shuffle」および「continuous」位置をもつ多接点スイッチ(multi-position switch)にすることができる。
【０１３５】
さらに、メディア資産ポインタ1513は、現在選択されているメディア資産データエントリ1553（図15BでSPL_yと指定されている）を指す。メディア資産シャフルプレイリスト1551が横断されると、メディア資産ポインタ1513は、現在選択されているメディア資産データエントリ1553に対応するメディア資産1507の提示の完了後（例えば、歌曲の再生が終了した後）、メディア資産プレイリスト1551内の次のシャフルプレイリストのメディア資産データエントリ1553に移動する。例えば、メディア資産シャフルプレイリスト1551は、図13のメディア資産シャフルプレイリストの横断プロセス1300により横断することができる。しかし、一般に、典型的なメディア資産プレイリストの横断プロセスは、プレイリストの最初のシャフルプレイリストのメディア資産データエントリ1553から始まり、メディア資産シャフルプレイリストの始め（図15でSPL_1と指定されている）からメディア資産シャフルプレイリストの終わり（図15でSPL_nと指定されている）へ順次シャフルプレイリストのメディア資産データエントリ1553を横断する。
【０１３６】
メディア資産プレイリスト配列1550を使用してメディア資産1507を提示する一実施例は、メディア資産ポインタ1513が現在指している特定のシャフルプレイリストのメディア資産データエントリ1553にメディアプレーヤがアクセスすることを伴う。次に、シャフルプレイリストのメディア資産データエントリ1553に関連付けられているポインタ1555は、連続プレイリストのメディア資産データエントリ1503を指すようになる。その後、連続プレイリストのメディア資産データエントリ1503に関連付けられているポインタ1505は、メディア資産1507を指すが、これは、メディアプレーヤの能力に応じて提示される。
【０１３７】
さらに、例えば、図14のメディア資産シャフルプレイリストの作成プロセス1400などの典型的なメディア資産シャフルプレイリストの作成プロセスにおいて、特定のシャフルプレイリストのメディア資産データエントリ1553に関連付けられているポインタ1555は、通常、新しいメディアシャフルプレイリストが作成されると、必ず、異なる連続プレイリストのメディア資産データエントリ1503を指すことになることに留意されたい。例えば（本発明の範囲を制限することなく）、図15Bの説明の文脈における新しいメディア資産シャフルプレイリストの作成をポインタ1555の再シャフルとしてみなすことが可能である。
【０１３８】
図16Aおよび16Bは、本発明の一実施例によるメディアプレーヤの一連の状態を例示する例示的な時系列1600を示している。時系列上で示されている時刻（nを整数として、Tnというラベルが付されている）は、それぞれ、状態変数の集合とメディア資産プレイリストのスナップショット1601と対応する。図16Aおよび16Bに示されている状態変数（メディアプレーヤ状態指示などのメディアプレーヤステータス情報）とともに例示的なプレイリストが、図に示され、表1および図11〜14B、15Aおよび15Bを参照して上で説明されている。これらの実施例は、例えば、図1に示されるメディアプレーヤ100を使用した異なるメディア資産プレイリストの横断を示している。さらに、これらの実施例は、図11および12で説明されている電源投入および電源を落すプロセスにより格納されるか、または、使用される状態変数のサンプルスナップショット1601を含む。
【０１３９】
表2は、それぞれに対する状態変数および関連する省略記号の一覧である。それぞれの状態変数に対する値は、それぞれのスナップショット1601について図16Aおよび16Bに示されている。
表2
───┬────────────
pp  │プレイリストポインタ
───┼────────────
map │メディア資源ポインタ
───┼────────────
pos │メディア資源の位置
───┼────────────
vol │音量
───┼────────────
ps  │再生ステータス
───┼────────────
v?  │プレイリストの有効性指示
───┴────────────
【０１４０】
さらに、時系列の各時刻Tnにおけるメディア資産シャフルプレイリスト1603が示されている。メディア資産シャフルプレイリスト1603は、図15Bのメディア資産シャフルプレイリスト1551の特徴をもつことができる。しかし、分かり易くするために、示される各メディア資産ラベルは、メディア資産へのポインタではなく、実際のメディア資産1607である。メディア資産1607は、メディア資産シャフルプレイリストの無作為順序付けをシミュレートするために狂った順序で示されている。メディア資産ポインタ(map)1605も示されている。メディア資産ポインタ1605は、再生されている現在のメディア資産1607を示している。
【０１４１】
図15Bを参照して上述したように、シャフルプレイリスト1603は、連続プレイリスト1609と関連付けることができる。図15を参照して上で説明したように、連続プレイリスト上のメディア資産の順序は、典型的には、メディアプレーヤのオペレータによって変えることができるものではない。従って、図16Aおよび16Bの目的に関して、連続プレイリストは、シャフルプレイリスト1603の変更頻度と無関係に、変化されることがないと仮定される。
【０１４２】
時系列は、T0から始まり、その際に、初期メディアプレーヤ状態は「オフ」である。T0で、すべての状態変数は、持続性メモリに格納されている。
【０１４３】
T1のときに、メディアプレーヤは、電源オンにされ、シャフルモードに切り替えられる。T1に関して示されるスナップショット1601において状態変数をロードすると、メディアプレーヤは、T1に示されるシャフルプレイリストを横断し始める。特に、メディアプレーヤは、30秒の地点から始まり、メディア資産MA_dに入る。これは、T0よりも前のあるTPで、メディア資産MA_dを、30秒間分、再生した後にメディアプレーヤが電源オフにされ、TPのメディアプレーヤ状態を示す状態変数が、メディアプレーヤが電源オフにされる前に格納されたことを示す。
【０１４４】
T1から30秒の後のT2で、ユーザは、メディアプレーヤを連続モードに設定する。プレイリストポインタ(pp)の値は、cont_PLに変更され、連続プレイリスト1609が現在選択されていることを示す。しかし、メディアプレーヤは、メディア資産1607の終わりに達するまでシャフルプレイリスト1603上でメディア資産ポインタ1605が指しているメディア資産1607(MA_d)を提示（再生）し続ける。
【０１４５】
時刻T3で、遷移は、メディア資産MA_dの終わりに達する。従って、現在のメディアシャフルプレイリストは無効になり、プレイリスト有効性指示は「無効」に設定される。さらに、メディアプレーヤはT2で連続モードに設定されたため、現在無効であるシャフルプレイリスト上の次のメディア資産1607であるMA_bではなく、MA_e（連続プレイリスト1609上の次のメディア資産1607）が提示される。
【０１４６】
メディアプレーヤが連続モードのままであれば、連続プレイリストは、順次横断されることに留意されたい（MA_f、MA_gなど）。
【０１４７】
メディア資産MA_eを再生して一分間の、時刻T4で、メディアプレーヤのユーザは、メディアプレーヤをシャフルモードに戻す。従って、プレイリストポインタは、shuffle_PLに戻される。
【０１４８】
時刻T5で、遷移は、メディア資産MA_eの終わりに達する。メディアプレーヤは、シャフルモードに入っているため、メディアプレーヤは、シャフルプレイリストを横断しようと試みる。しかし、プレイリスト有効性指示は、T3で、「無効」に設定され、新しいシャフルプレイリスト1611（shuffle_PL'）が作成される。そのため、新しいシャフルプレイリスト1611が作成され、メディア資産ポインタは、新しいシャフルプレイリスト1609上の第一のメディア資産1607である、MA_cに移動される。
【０１４９】
時系列1600は、図16Bに続く。時刻T5とT6の間で、シャフルプレイリスト1611は正常に横断される（つまり、シャフルプレイリスト上のメディア資産は順次提示される）。そのため、時刻T6で、メディア資産ポインタ1607は、図に示されているが、MA_fを指すように移動されている。また、時刻T6で、ユーザは、もう一度メディアプレーヤを連続モードに切り替え、これによりプレイリストポインタはcont_plを指すように変更される。しかし、MA_fの終わりに達する前に、ユーザは、時刻T7で、メディアプレーヤをシャフルモードに戻す。従って、遷移は、MA_fの終わりに決して到達することはないため、シャフルプレイリスト1611は有効なままであり、これはプレイリスト有効性指示により示されているとおりである。従って、時刻T8で、メディア資産ポインタ1609は、シャフルプレイリスト1611上の次のメディア資産1607である、MA_iに移動す。
【０１５０】
時刻T9で、ユーザは新しいシャフルプレイリストを要求する。有効性指示を「無効」に設定することにより示されるように、新しいシャフルプレイリスト要求により、シャフルプレイリスト1611が無効化される。時刻T10において、次の遷移（MA_iとMA_x）に達した場合、新しいシャフルプレイリスト1613（shuffle_PL"）が作成され、メディア資産ポインタ1605は、新しいシャフルプレイリスト1613上の第一のメディア資産1607である、MA_dを指すように設定される。
【０１５１】
最後に、時刻T11で、ユーザはメディアプレーヤの電源をオフにする。メディアプレーヤがオフになる前に、現在の状態変数を持続性メモリにメディア資産ステータス指示として保存する（図12を参照）。
【０１５２】
図2Aおよび2Bに例示されているような、メディアデバイスの装飾的意匠の実施例は、(i)参照により本明細書に組み込まれている2004年12月23日に出願された「ELECTRONIC DEVICE」という表題の米国意匠特許出願第29/220,035号、(ii)参照により本明細書に組み込まれている2004年12月23日に出願された「ELECTRONIC DEVICE」という表題の米国意匠特許出願第29/220,120号、および(iii)参照により本明細書に組み込まれている2004年12月23日に出願された「ELECTRONIC DEVICE」という表題の米国意匠特許出願第29/220,038号に記載されている。
【０１５３】
上記の実施例の幾つかにおいて強調されているメディアアイテム（またはメディア資産）は、オーディオアイテム（例えば、オーディオファイルまたは歌曲）であるが、メディアアイテムはオーディオアイテムに限定されない。例えば、それとは別に、メディアアイテムは、ビデオ（例えば、映画）またはイメージ（例えば、写真）に関係するものとすることができる。
【０１５４】
上で説明されている本発明の様々な態様、特徴、実施例、または実装は、単独で、または様々な組み合わせで使用することができる。
【０１５５】
本発明の方法は、ソフトウェア、ハードウェア、またはハードウェアとソフトウェアとの組み合わせで実装することができる。本発明は、さらに、コンピュータが読み取り可能なメディア上にコンピュータが読み取り可能なコードとして具現化することもできる。コンピュータが読み取り可能なメディアは、上で定義されているような転送デバイスおよび転送デバイスの両方を含み、コンピュータシステムにより読み出すことができるデータを格納することが可能なデータ記憶デバイスである。コンピュータが読み取り可能なメディアの幾つかの例として、読取専用メモリ、ランダムアクセスメモリ、CD-ROM、フラッシュメモリカード、DVD、磁気テープ、光データ記憶デバイスおよび搬送波がある。コンピュータが読み取り可能なメディアは、さらに、コンピュータが読み取り可能なコードが分散方式で格納され実行されるように、複数のネットワーク結合コンピュータシステムに分散させることもできる。
【０１５６】
本発明の多くの特徴および利点は、明細書から明らかであり、そこで、付属の請求項において本発明のすべてのこのような特徴および利点を対象範囲とすることが意図されている。さらに、当業者であれば多くの修正例および変形例を容易に思いつくであろうから、本発明は、例示され説明されているとおりの正確な構造およびオペレーションに限定されるべきではない。従って、すべての好適な変形例および等価例は、本発明の範囲内にあるものとして用いることができる。
【図１】
2011054188.tif 000003
【図２Ａ】
2011054188.tif 000004
【図２Ｂ】
2011054188.tif 000005
【図３】
2011054188.tif 000006
【図４】
2011054188.tif 000007
【図５】
2011054188.tif 000008
【図６】
2011054188.tif 000009
【図７】
2011054188.tif 000010
【図８】
2011054188.tif 000011
【図９Ａ】
2011054188.tif 000012
【図９Ｂ】
2011054188.tif 000013
【図９Ｃ】
2011054188.tif 000014
【図１０Ａ】
2011054188.tif 000015
【図１０Ｂ】
2011054188.tif 000016
【図１１】
2011054188.tif 000017
【図１２】
2011054188.tif 000018
【図１３】
2011054188.tif 000019
【図１４Ａ】
2011054188.tif 000020
【図１４Ｂ】
2011054188.tif 000021
【図１５Ａ】
2011054188.tif 000022
【図１５Ｂ】
2011054188.tif 000023
【図１６Ａ】
2011054188.tif 000024
【図１６Ｂ】
2011054188.tif 000025
【手続補正書】
【提出日】平成22年11月4日(2010.11.4)
【手続補正１】
【補正対象書類名】特許請求の範囲
【補正対象項目名】全文
【補正方法】変更
【補正の内容】
【特許請求の範囲】
【請求項１】
複数のメディア資産を格納する不揮発性のメモリと、
メディア再生モードを選択するように構成された多接点スイッチと、
メディアプレーヤのユーザが、提示すべき少なくとも一つのメディア資産を選択することを許可するメディアプレーヤ制御インタフェイスと、
前記メモリ、前記多接点スイッチおよび前記メディアプレーヤ制御インタフェイスに接続し、前記メディア再生モードに従い、前記選択された少なくとも一つのメディア資産を提示し、次に提示すべきメディア資産も提示する動作を行う制御手段とを有するメディアプレーヤ。
【請求項２】
前記メモリはフラッシュメモリである請求項1に記載されたメディアプレーヤ。
【請求項３】
前記複数のメディア資産はメディア資産リストに関連付けられ、前記メディア資産リストから少なくとも一つのメディア資産が提示用に選出される請求項1に記載されたメディアプレーヤ。
【請求項４】
前記メディア資産リストから前記次に提示すべきメディア資産が選出され、前記メディア資産リストは再生リストである請求項3に記載されたメディアプレーヤ。
【請求項５】
前記次に提示すべきメディア資産は、前記メディア再生モードに基づき、異なるように決定される請求項1に記載されたメディアプレーヤ。
【請求項６】
さらに、ユニバーサルシリアルバス(USB)コネクタを有し、前記USBコネクタは少なくとも前記メモリに接続され、前記メモリは前記USBコネクタを使用してアクセス可能である請求項1に記載されたメディアプレーヤ。
【請求項７】
USB接続を使用した前記メモリのアクセスは、前記メディアプレーヤをデータ記憶ドライブとして機能させる請求項6に記載されたメディアプレーヤ。
【請求項８】
前記メディアプレーヤはディスプレイを有しない請求項7に記載されたメディアプレーヤ。
【請求項９】
前記メディア再生モードは、連続再生モードおよびシャフル再生モードの一つである請求項1に記載されたメディアプレーヤ。
【請求項１０】
前記メディア再生モードは前記多接点スイッチを使用して選択される請求項9に記載されたメディアプレーヤ。
【請求項１１】
前記多接点スイッチは、オフ位置、連続再生位置およびシャッフル再生位置を有する請求項10に記載されたメディアプレーヤ。
【請求項１２】
前記多接点スイッチはオフ位置を有し、前記多接点スイッチがオフにスイッチされると、前記メディアプレーヤは、パワーオフする前に、メディアプレーヤステータス情報を前記メモリに格納する請求項10に記載されたメディアプレーヤ。
【請求項１３】
前記メディアプレーヤステータス情報は、メディア資産再生リストの有効性の指標、現在のメディア資産再生リストの指標、現在のメディア資産の指標、メディア資産における現在位置の指標、現在のメディアプレーヤの音量の指標、および、現在のメディアプレーヤの一時停止状態の指標からなるグループから選択される一つ以上のメディアプレーヤステータス指標を含む請求項12に記載されたメディアプレーヤ。
【請求項１４】
前記メディアプレーヤに前回格納された前記メディアプレーヤステータス情報をロードさせるため、前記多接点スイッチを前記オフ位置以外に操作して前記メディア再生モードを選択する請求項12に記載されたメディアプレーヤ。
【請求項１５】
前記シャフル再生モードはシャフル再生リストに関連し、前記シャフル再生モードの場合、前記次に提示すべきメディア資産は前記シャフル再生リスト内のメディア資産から選出される請求項9に記載されたメディアプレーヤ。
【請求項１６】
前記連続再生モードは連続再生リストに関連し、前記連続再生モードの場合、前記次に提示すべきメディア資産は前記連続再生リスト内のメディア資産から選出される請求項15に記載されたメディアプレーヤ。
【請求項１７】
前記メディアプレーヤ制御インタフェイスは、再生、一時停止、巻き戻し、早送り、前のメディア資産へスキップ、および、次のメディア資産へスキップからなるグループから選択された操作を含む請求項1に記載されたメディアプレーヤ。
【請求項１８】
前記多接点スイッチは前記メディアプレーヤの第一の面に位置し、前記メディアプレーヤ制御インタフェイスは前記メディアプレーヤの第二の面に位置する請求項1に記載されたメディアプレーヤ。
【請求項１９】
前記第一の面は裏面であり、前記第二の面は表面である請求項18に記載されたメディアプレーヤ。
【請求項２０】
データを格納するフラッシュメモリドライブおよびホストデバイスと連結するUSBコネクタを有する携帯電子デバイスであって、
前記携帯電子デバイスにおいてメディア操作を提供するように構成されたメディアモジュールと、
前記メディアモジュールに電力を与えるオンボード電池と、
前記メディアモジュールの動作モードを調整するスライドスイッチを含む入出力システムとを有し、
前記携帯電子デバイスは、ディスプレイを欠き、手持ち形状ファクタを有する携帯電子デバイス。
【請求項２１】
前記入出力システムは、さらに、ユーザ入力を前記メディアモジュールに提供する制御入力デバイスを含む請求項20に記載された携帯電子デバイス。
【請求項２２】
前記メディアモジュールはオーディオファイルを再生するために動作する請求項20に記載された携帯電子デバイス。
【請求項２３】
前記携帯電子デバイスはUSBキーホルダドライブであり、前記オンボード電池は再充電可能な電池である請求項20に記載された携帯電子デバイス。
【請求項２４】
複数の動作モードを有する携帯電子デバイスであって、
データを格納するメモリデバイスと、
前記携帯電子デバイスをホストデバイスのポートに直結する周辺機器バスコネクタと、
前記携帯電子デバイスの複数の動作モードから前記携帯電子デバイスの動作モードを選択するスライドスイッチとを有する携帯電子デバイス。
【請求項２５】
携帯電子デバイスをホストデバイスのポートに直結するUSBコネクタと、
前記携帯電子デバイスにおけるメディア操作を提供するように構成されたメディアモジュールと、
入出力システムとを有し、
前記携帯電子デバイスはディスプレイスクリーンを欠く携帯電子デバイス。
【請求項２６】
メモリデバイスを有する携帯メディアプレーヤを操作する方法であって、
前記メディアプレーヤの電源をオフする前に、前記メディアプレーヤのメディアプレーヤステータス情報を取得し、前記メディアプレーヤの状態を記述する前記メディアプレーヤステータス情報を前記メモリデバイスに格納し、
前記メディアプレーヤの電源がオンされると、前記メモリデバイスに前回格納された前記メディアプレーヤステータス情報を使用して、前記メディアプレーヤを前回の状態に復帰する方法。
【請求項２７】
前記復帰は、前記メモリデバイスから前記メディアプレーヤステータス情報を検索し、前記検索によって検出されたメディアプレーヤステータス情報を使用して、前記メディアプレーヤを前回の状態に復帰する請求項26に記載された方法。
【請求項２８】
さらに、前記メディアプレーヤを前回の状態に復帰した後、メディア資産またはメディア資産のグループの再生を再開する請求項26に記載された方法。
【請求項２９】
前記メディアプレーヤステータス情報は、前記メディア資産のグループ内のメディア資産を識別する請求項28に記載された方法。
【請求項３０】
前記取得および前記格納は前記電源のオフにおいて実行され、前記復帰は前記電源のオンにおいて実行される請求項26に記載された方法。
【請求項３１】
前記メディアプレーヤは、前記電源がオンされると前記メディア資産を再生可能であり、前記電源のオン時に前記電源がオフされると前記メディアプレーヤステータス情報の少なくも一部は再生中のメディア資産に関係する請求項30に記載された方法。
【請求項３２】
携帯メディアプレーヤを動作させる方法であって、
前記メディアプレーヤの電源をオフするための第一のコマンドを受信し、
前記第一のコマンドを受信すると、前記メディアプレーヤのメディアプレーヤステータス情報を取得し、
前記メディアプレーヤステータス情報を前記携帯メディアプレーヤの不揮発性のメモリに格納し、
その後、前記メディアプレーヤの電源をオフする方法。
【請求項３３】
さらに、前記携帯メディアプレーヤの電源をオンするための第二のコマンドを受信し、
前記第二のコマンドを受信すると、前記メモリからメディアプレーヤステータス情報を検索し、
前記検索により検出したメディアプレーヤステータス情報に従い前記携帯メディアプレーヤを動作させる請求項32に記載された方法。
【請求項３４】
前記第一のコマンドは、前記携帯メディアプレーヤのユーザによって与えられる請求項33に記載された方法。
【請求項３５】
前記第二のコマンドは、前記携帯メディアプレーヤのユーザによって与えられる請求項33に記載された方法。
【請求項３６】
前記第一のコマンドは、前記携帯メディアプレーヤのオペレーティングシステムから送信される請求項33に記載された方法。
【請求項３７】
前記携帯メディアプレーヤのユーザは、前記第一のコマンドおよび/または前記第二のコマンドを与えるために、前記携帯メディアプレーヤの多接点スイッチを操作する請求項33に記載された方法。
【請求項３８】
前記多接点スイッチは、オフ位置、連続再生位置およびシャフル再生位置を有する請求項37に記載された方法。
【請求項３９】
前記メディアプレーヤステータス情報は、メディア資産再生リストの有効性の指標、前記メディア資産再生リストの指標、メディア資産の指標、前記メディア資産における位置、前記携帯メディアプレーヤの音量、および、前記携帯メディアプレーヤの一時停止状態の一つ以上を含む請求項32に記載された方法。
【請求項４０】
メモリデバイスを有する携帯メディアプレーヤを動作させるために少なくともコンピュータプログラムコードを含むコンピュータが読み取り可能な媒体であって、
前記メディアプレーヤの電源をオフする前に前記メディアプレーヤのメディアプレーヤステータス情報を取得するコンピュータプログラムコードと、
前記メディアプレーヤの状態を記述する前記メディアプレーヤステータス情報を前記メモリデバイスに格納するコンピュータプログラムコードと、
その後、前記メディアプレーヤの電源がオンされると、前記メモリデバイスに前回格納された前記メディアプレーヤステータス情報を使用して、前記メディアプレーヤを前回の状態に復帰するコンピュータプログラムコードとを有する媒体。
【請求項４１】
携帯メディアプレーヤにおいてメディア資産を提示する方法であって、
前記携帯メディアプレーヤにおいて提示されるべきメディア資産のリストを識別し、
シャフルアクションを始めるためのユーザ入力を受信し、
前記シャフルアクションを開始する前記ユーザ入力に応じて前記メディア資産のリストをシャフルし、前記メディア資産のリストにおけるメディア資産の提示が完了するまで前記シャフルを延期する方法。
【請求項４２】
前記シャフルアクションを開始する前記ユーザ入力は、ユーザスイッチ入力である請求項41に記載された方法。
【請求項４３】
前記ユーザスイッチ入力は、前記携帯メディアプレーヤに備わる多接点スイッチによって入力される請求項42に記載された方法。
【請求項４４】
前記多接点スイッチの一つの位置は、前記シャフルアクションを開始するシャフル動作モード要求に対応する請求項43に記載された方法。
【請求項４５】
前記メディア資産のリストにおけるメディア資産の提示が完了した時点で、前記ユーザ入力が未だ前記シャフルアクションを示す場合にだけ、前記シャフルが発生する請求項41に記載された方法。
【請求項４６】
前記メディア資産のリストは歌曲の再生リストである請求項41に記載された方法。
【請求項４７】
携帯メディアプレーヤにおいてメディア資産を提示する方法であって、
前記携帯メディアプレーヤにおいて提示すべきメディア資産のリストを識別し、
前記メディア資産のリストから一つのメディア資産を選択し、
前記携帯メディアプレーヤを介して前記選択されたメディア資産を提示し、
前記提示の間、シャフルアクションを要求するユーザ入力を受信し、
前記選択されたメディア資産の前記提示が完了し、まだ提示されている状態で、前記シャフルアクションを処理し、
前記処理に従い前記メディア資産のリストをシャフルして、シャフルされたリストを生成し、
前記シャフルされたリストから他のメディア資産を選択し、
前記携帯メディアプレーヤを介して前記選択された他のメディア資産を提示する方法。
【請求項４８】
前記選択された他のメディア資産は前記シャフルされたリストの一番目のメディア資産である請求項47に記載された方法。
【請求項４９】
さらに、前記シャッフルされた再生リストの残りのメディア資産それぞれを連続再生する請求項47に記載された方法。
【請求項５０】
前記メディア資産のリストは連続再生リストであり、前記シャフルされたリストはシャフル再生リストである請求項47に記載された方法。
【請求項５１】
前記メディア資産のリストは第一のシャフル再生リストであり、前記シャフルされたリストは第二のシャフル再生リストである請求項47に記載された方法。
【請求項５２】
前記メディア資産のリストは現在のシャフル再生リストであり、前記シャフルされたリストは新しいシャフル再生リストである請求項47に記載された方法。
【請求項５３】
前記シャフルアクションの処理は前記現在のシャフル再生リストを少なくとも無効にし、前記新しいシャフル再生リストを生成する前記メディア資産のリストのシャフルは前記新しいシャフル再生リストを少なくとも有効にする請求項52に記載された方法。
【請求項５４】
さらに、前記現在のシャフル再生リストが有効か否かを判定し、
前記判定が前記現在のシャフル再生リストが無効と判定した場合、前記新しいシャフル再生リストを生成する請求項52に記載された方法。
【請求項５５】
前記メディア資産再生リストの有効性の指標は、有効なシャフル再生リストを示す請求項13に記載されたメディアプレーヤ。
【請求項５６】
前記メディア資産再生リストの有効性の指標は、無効なシャフル再生リストを示す請求項55に記載されたメディアプレーヤ。
【請求項５７】
前記シャフル再生リストを置き換えるために新しいシャフル再生リストが作成される請求項56に記載されたメディアプレーヤ。
【請求項５８】
前記多接点スイッチが前記連続再生位置にある間の新しいメディア資産の提示は、前記メディア資産再生リストの有効性の指標を無効に設定させる請求項57に記載されたメディアプレーヤ。
【請求項５９】
前記多接点スイッチを前記オフ位置から前記シャッフル再生位置にスイッチすることにより、前記新しいシャフル再生リストが作成される請求項58に記載されたメディアプレーヤ。
【請求項６０】
現在のシャフル再生リストがない場合、前記新しいシャフル再生リストが作成される請求項59に記載されたメディアプレーヤ。
【請求項６１】
前記多接点スイッチを前記連続再生位置から前記シャッフル再生位置にスイッチすることにより、前記新しいシャフル再生リストが作成される請求項60に記載されたメディアプレーヤ。
【請求項６２】
前記新しいシャフル再生リストの作成は、新しいメディア資産が提示されるまで遅延される請求項61に記載されたメディアプレーヤ。
【請求項６３】
前記メディア資産再生リストの有効性の指標が無効に設定された場合のみ、前記新しいシャフル再生リストが作成される請求項62に記載されたメディアプレーヤ。
【外国語明細書】
2011054188000001.pdf